(57)【要約】  複数のセンサを使用して動物の健康を監視するためのシステム及び方法が記載される。本装着可能装置は、１つ以上のセンサを含んでもよく、それらのセンサの結果として生じる信号レベルが、本装着可能装置で分析され得るか、またはさらなる分析のためにデータ管理サーバにアップロードされ得る。一例では、一方が動物の内方を向き、他方が動物の外方を向く一対の温度計を使用して、動物の中核体温を推定する。【選択図】図２
2017504323.tif 000002
【特許請求の範囲】
【請求項１】
動物用の装着可能装置であって、
前記動物に向くように構成される第１の表面及び前記動物の外方を向くように構成される第２の表面を有する筺体と、
前記第１の表面上に位置し、第１の温度に関する第１の信号を出力するように構成される第１の温度計と、
前記第２の表面上に位置し、第２の温度に関する第２の信号を出力するように構成される第２の温度計と、
前記第１の信号及び前記第２の信号を受信し、それぞれ、前記第１の温度値及び前記第２の温度を決定するように構成される入力を有するプロセッサと、
調整が記憶される記憶装置と、を備え、
前記プロセッサが、前記調整を前記記憶装置から前記第１の温度値に適用するように構成され、前記調整が前記第２の温度値に少なくとも基づいている、装着可能装置。
【請求項２】
前記調整が、粗調整及び微調整を含む、請求項１に記載の装着可能装置。
【請求項３】
粗調整が、前記第２の温度値に基づく補正である、請求項２に記載の装着可能装置。
【請求項４】
前記微調整が、年齢、品種、毛の長さ、性別、去勢状態、月経、妊娠、授乳、及び疾病または病気のうちの少なくとも１つを含む、前記動物の１つ以上の状態に基づく補正である、請求項２に記載の装着可能装置。
【請求項５】
動物の体温を決定するための方法であって、
第１の温度計が前記動物に向くように位置付けられるように、前記動物よって装着される筺体内に位置付けられる前記第１の温度計から第１の信号をプロセッサで受信することと、
第２の温度計が前記動物の外方を向くように位置付けられるように、前記筺体内に位置付けられる前記第２の温度計から第２の信号を前記プロセッサで受信することと、
前記第１の信号から第１の温度値を決定し、前記第２の信号値から第２の温度を決定することと、
記憶装置から調整を受信することであって、前記受信された調整が前記第２の温度値に関する、受信することと、
前記調整を前記第１の温度値に適用することと、を含む、方法。
【請求項６】
前記調整が、粗調整及び微調整を含む、請求項５に記載の方法。
【請求項７】
粗調整が、前記第２の温度値に基づく補正である、請求項６に記載の方法。
【請求項８】
前記微調整が、年齢、品種、毛の長さ、性別、去勢状態、月経、妊娠、授乳、及び疾病または病気のうちの少なくとも１つを含む、前記動物の１つ以上の状態に基づく補正である、請求項６に記載の方法。
【請求項９】
動物用の装着可能装置であって、
前記動物に向くように構成される第１の表面及び前記動物の外方を向くように構成される第２の表面を有する筺体と、
前記第１の表面上に位置し、第１の信号を出力するように構成される第１の温度計と、
前記第１の信号を受信し、前記第１の信号に基づいて第１の温度値を決定するように構成される入力を有するプロセッサと、
調整が記憶される記憶装置と、を備え、
前記プロセッサが、前記調整を前記記憶装置から前記第１の温度値に適用するように構成され、
前記調整が、前記装置が設置される前記動物に特有の情報に少なくとも基づいている、装着可能装置。
【請求項１０】
前記調整が、年齢、品種、毛の長さ、性別、去勢状態、月経、妊娠、授乳、及び疾病または病気のうちの少なくとも１つを含む、前記動物の１つ以上の状態に基づいている、請求項９に記載の装着可能装置。
【請求項１１】
動物用の装着可能装置であって、
第１の表面及び第２の表面を有する筺体と、
前記第１の表面上に位置し、前記動物の近くの温度に関する第１の温度に関する第１の信号を出力するように構成される第１の温度計と、
前記第２の表面上に位置し、周囲温度に関する第２の温度に関する第２の信号を出力するように構成される第２の温度計と、
前記第１の信号及び前記第２の信号を受信し、それぞれ、前記第１の温度値及び前記第２の温度を決定するように構成される入力を有するプロセッサと、
調整が記憶される記憶装置と、を備え、
前記プロセッサが、前記調整を前記記憶装置から前記第１の温度値に適用するように構成され、前記調整が前記第２の温度値に少なくとも基づいている、装着可能装置。
【発明の詳細な説明】
【技術分野】
【０００１】
関連出願の相互参照
本出願は、２０１３年１２月３１日に出願された米国仮特許出願第６１／９２２，４１７号に対する優先権を主張する２０１４年１２月１５日に出願された米国出願第１４／５７０，９３５号に対する優先権を主張するものであり、その全ての内容は、参照により明示的に本明細書に組み込まれる。
【０００２】
本発明の態様は、概して、動物の安全性、ウェルネス、及び健康の監視に関する。より具体的には、本発明のいくつかの態様は、ペットの健康及びウェルネスを監視する表示及びシステム管理システムに関する。
【背景技術】
【０００３】
動物はヒトよりもはるかに我慢強く、たとえそれらがそれらの苦痛に順応するために調整している間であっても、痛みを訴えないか、または示さないことが多い。市場調査によると、ペットの飼い主は、ペットが病気であることを教えてもらう必要はなく、むしろ、ペットが病気になりそうなとき、かつそれに応じてどのような予防手段をとるべきかを知る必要があるということをかなり明確に示している。例えば、ペットが病気になりそうなことを飼い主が知っていた場合、飼い主は、観察の水準を高める（例えば、動物が正常に食べている、飲んでいる、及び／もしくは排泄しているかを観察する）、ある特定の活動（例えば、歩行等）を増加もしくは減少させる、ならびに／または獣医を訪れることができる。
【０００４】
同様に、獣医は、獣医と動物患者との間のほとんどの臨床的接触が事実上一時的であることから、その動物患者の健康に関して極めて限られた見通ししかない。したがって、通常の健康診断中、獣医は、例えば、血圧、呼吸速度／変動性、もしくは中核体温（温度計を動物の直腸に突き刺す）等のある特定の読取は、動物にさらにストレスを与えることがある、実施が困難な場合がある（血圧）、及び／またはストレスの多い臨床条件では信頼できない（動物は、他の動物が周囲にいる獣医の診療所では上昇した読取値を呈する場合がある−「白衣高血圧」または「白衣症候群」と称されることもある）ため、そのような読取を常に実施する、または当てにできるとは限らない。
【０００５】
よって、いくつかの過去の解決策は、動物の所有者に動物の健康状態に関するデータを提供し、同時に動物の健康条件の診断を補助するためのさらなるデータを獣医に提供するために、動物を遠隔で監視することを試みた。しかしながら、これらの過去の解決策の各々は、それらが、動物の健康の包括的な見解を提供せず、所有者及び／または獣医に動物の健康状態を決定するための適切な情報を提供しないという欠点を有する。
【０００６】
したがって、ペットの飼い主及び／または獣医が、安定した住居環境における非侵襲的な遠隔監視によってペットのウェルネスをより良く理解し、健康状態の発達の前触れとなり得る微細なバイタルサイン指標に気が付くことができるように、ペットの飼い主及び／または獣医にペットもしくは他の動物の現在の状態に関する包括的な情報を提供することが依然として必要とされている。
【発明の概要】
【０００７】
本開示の１つ以上の態様は、ペットの飼い主、獣医、または他の個人にペットの全身状態の監視に有用なコンテンツを提供するために２つ以上のセンサをする、ペットまたは他の動物の健康及びウェルネスの監視に関する。また、動物のバイタルサイン、生理的兆候、または環境的要因を監視する異なるセンサからの異なる信号の分析に基づく推論も提供され得る。本開示のいくつかの態様は、その動作が他のセンサからの信号に加えて、種々の動作モード及び／またはプロファイルで統制され得る埋め込みセンサを含む装着可能装置を提供する。
【０００８】
複数のセンサを使用して動物の健康を監視するためのシステム及び方法が記載される。本装着可能装置は、１つ以上のセンサを含んでもよく、それらのセンサの結果として生じる信号レベルが、本装着可能装置で分析され得るか、またはさらなる分析のためにデータ管理サーバにアップロードされ得る。一例では、一方が動物の内方を向き、他方が動物の外方を向く一対の温度計を使用して、動物の中核体温を推定する。
【０００９】
これまでに要約された種々の態様は、種々の形態で具体化され得る。その態様が実践され得る種々の組み合わせ及び構成の例示として、以下の説明を示す。記載される態様及び／または実施形態は、単なる例に過ぎず、他の態様及び／または実施形態が利用されてもよく、本開示の範囲から逸脱することなく構造的及び機能的修正が行われてもよいことが理解される。
【図面の簡単な説明】
【００１０】
同様の参照番号が同様の特徴を示す添付の図面を考慮して以下の説明を参照することによって、本発明及びその利点のより完全な理解を得ることができる。
【００１１】
【図１】本開示のいくつかの態様に従う、ペット用の装着可能装置及びその部品の概略図である。
【図２】図１の装着可能装置によって受信される種々の種類の情報を例示する機能ブロック図である。
【図３】本開示のいくつかの態様に従う、図１の装着可能装置と併せて使用されるデータ管理システム及びそれへの種々の入力の概略図である。
【図４】図１の装着可能装置を組み込む首輪を例示する。
【図５】図４に示される首輪を装着している動物の頸部の断面図を例示する。
【図６Ａ】図１の装着可能装置の一実施形態の上面図及び側面図を例示する。
【図６Ｂ】図１の装着可能装置の一実施形態の上面図及び側面図を例示する。
【図７】図１の装着可能装置を組み込むハーネスを示す。
【図８】本開示のいくつかの態様に従う、基本のセンサ処理を示すフローチャートである。
【図９】本開示のいくつかの態様に従う、１つを超えるセンサの処理を示すフローチャートである。
【図１０】本開示のいくつかの態様に従う、他のセンサを誘起するセンサを示すフローチャートである。
【図１１】本開示のいくつかの態様に従う、異なるセンサからの読取値を使用してどのように推論が形成され得るかの実例を示すフローチャートである。
【図１２】本開示のいくつかの態様に従う、装着可能装置のセンサ及び装着可能装置から離れた別のセンサからの読取値の使用を例示するフローチャートである。
【図１３】本開示の１つ以上の態様に従う、センサ及びそれらの関連情報の表を示す。
【図１４】本開示の１つ以上の実施形態に従う、図１３で識別される種々のセンサの潜在的マスタ／スレーブ関係の表である。
【図１５】本開示の１つ以上の態様に従う、図１３のセンサの起動が異なる動作モードでどのように修正され得るかの実例を示す。
【図１６Ａ】本開示の１つ以上の態様に従う、種々のセンサ、ならびにそれらの閾値（複数可）、動作の頻度、及び粒度が異なるプロファイルに基づいてどのように修正され得るかの実例である。
【図１６Ｂ】本開示の１つ以上の態様に従う、種々のセンサ、ならびにそれらの閾値（複数可）、動作の頻度、及び粒度が異なるプロファイルに基づいてどのように修正され得るかの実例である。
【図１６Ｃ】本開示の１つ以上の態様に従う、種々のセンサ、ならびにそれらの閾値（複数可）、動作の頻度、及び粒度が異なるプロファイルに基づいてどのように修正され得るかの実例である。
【図１６Ｄ】本開示の１つ以上の態様に従う、種々のセンサ、ならびにそれらの閾値（複数可）、動作の頻度、及び粒度が異なるプロファイルに基づいてどのように修正され得るかの実例である。
【図１６Ｅ】本開示の１つ以上の態様に従う、種々のセンサ、ならびにそれらの閾値（複数可）、動作の頻度、及び粒度が異なるプロファイルに基づいてどのように修正され得るかの実例である。
【図１６Ｆ】本開示の１つ以上の態様に従う、種々のセンサ、ならびにそれらの閾値（複数可）、動作の頻度、及び粒度が異なるプロファイルに基づいてどのように修正され得るかの実例である。
【図１６Ｇ】本開示の１つ以上の態様に従う、種々のセンサ、ならびにそれらの閾値（複数可）、動作の頻度、及び粒度が異なるプロファイルに基づいてどのように修正され得るかの実例である。
【図１７】本開示の１つ以上の態様に従う、監視装置が取り付けられた動物の品種情報に基づいて、種々のセンサプロファイルがどのように修正され得るかの一例を示す。
【図１８】本開示の１つ以上の態様に従う、装着可能装置の異なる動作モードの実施形態を示す。
【図１９Ａ】本開示の１つ以上の態様に従う、図１８の実施形態に基づくプロファイルよりも動作モードが優先される順序を示す。
【図１９Ｂ】本開示の１つ以上の態様に従う、図１８の実施形態に基づくプロファイルよりも動作モードが優先される順序を示す。
【図２０】本開示の１つ以上の態様に従う、図１８の実施形態の動作モードを置き換えるプロファイルを含む、異なるプロファイルを有する代替の実施形態を示す。
【図２１Ａ】本開示の１つ以上の態様に従う、１つ以上のスイッチによるプロファイル選択のオプションを有する図２０の実施形態の異なるプロファイルの組み合わせを示す。
【図２１Ｂ】本開示の１つ以上の態様に従う、１つ以上のスイッチによるプロファイル選択のオプションを有する図２０の実施形態の異なるプロファイルの組み合わせを示す。
【図２２】本開示の１つ以上の態様に従う、装着可能装置内ならびにＤＭＳ内でプロファイルがどのように選択され得るかの実例を示す。
【図２３】本開示の１つ以上の態様に従う、他のセンサとの関連で、関連性のあるセンサ上の読取値の時間枠の実例を示す。
【図２４】本開示の１つ以上の態様に従う、マイクロ波ラジオメトリ及びマイクロ波温度測定を含む、中核体温を監視するための異なる技法の一例を示す。
【図２５】本開示の態様に従う、監視される動物の種々の状態の表示を示す。
【図２６】本開示の態様に従う、図２５の動物の監視される状態のうちの１つに関する特定の表示を示す。
【発明を実施するための形態】
【００１２】
種々の実施形態の以下の説明では、本明細書の一部を形成し、本発明が実践され得る種々の実施形態が例示として示される添付の図面を参照する。他の実施形態が利用されてもよく、本発明の範囲から逸脱することなく構造的及び機能的修正が行われてもよいことが理解される。
＜総括＞
【００１３】
本開示の態様は、動物の１つ以上の状態及び／またはその環境を監視するための１つ以上のセンサを含む、動物によって装着される装置を対象とする。いくつかの実施形態では、装置は、ヒト（例えば、ペットの飼い主）によって動物に設置される首輪、ハーネス、または他の装置であってもよい。本装着可能装置は、例えば、１つ以上のセンサと、本明細書に記載されるようにデータを送信するために使用される１つ以上の部品とを含む、複数の部品を含み得る。例えば、いくつかの実施形態では、本装着可能装置は、動物、その位置、及びその環境に関する情報を得るための複数の接触、半接触、及び非接触センサを含み得る。  
【００１４】
本開示のさらなる態様は、異なるセンサの分析を対象とする。本出願の目的のために、センサが分析される少なくとも２つの位置が本明細書に記載される。まず、装着可能装置が、センサデータを分析することができる。次に、遠隔のデータ管理システム（本明細書では「ＤＭＳ」と称される）が、センサからの情報を処理することができる。加えて、ＤＭＳは、装着可能装置に近接する付属的なセンサ（独立型センサ及び他の装置に取り付けられるセンサ、例えば、スマートフォンに取り付けられるか、またはスマートフォンの一部であるセンサを含む）からの情報を含む、装着可能装置以外のソースからの追加情報と併せて、センサからの情報を処理することができる。さらに、ＤＭＳは、動物の観察時に基づいた特定の情報を入力した所有者からの情報を受信することができる。加えて、ＤＭＳは、装着可能装置の現地の周囲の天候状態に関するＲＳＳフィードを含む第三者からの情報ならびに第三者獣医または他のサービスプロバイダからのデータを受信することができる。いくつかの実装では、センサは、１つの位置でのみ分析されてもよく、または３つ以上の位置で分析されてもよいことが理解される。健康監視システムは、例えば、コンパニオンウェブ／モバイルベースのアプリケーション、電話コールセンター活動／テレプロンプト等を通して収集される動物の所有者の観察をさらに使用してもよい。所有者の観察は、測定されるイベント（例えば、装着可能装置１０１及び／または１つ以上の外部センサで測定されるイベント）を確証することができ、偽陽性及び偽陰性の進行速度の低下を支援する。例えば、いくつかの実施形態では、健康監視システムには、視野内の事前に識別された標識が動物を横切るように携帯装置に不可欠な可動カメラを振ることを所有者に命令する可動重量／大きさのモバイルデバイスアプリケーションが挙げられる。次いで、この動作から導出される前処理されたデータは、ＤＭＳにアップリフトされ、ここで、動物の体重及び大きさに応じて結論が導出され得る。次いで、そのようなデータは、動物の記録に付加される。他の重要な所有者に記録される観察には、カロリー摂取量、尿中の血液、黒色便、口臭、過度の口渇、顔の周りの白い皮膚の斑点、動物の傾向の記録等の観察可能な項目が挙げられる。例えば、コンピュータまたはスマートフォン上で実行されるアプリケーションを通してカロリー摂取量が所有者によって監視されてもよく、そこで所有者は、どの食物がどの間隔でどの程度消費されたのかを特定する。
【００１５】
さらに、装着可能装置から遠隔に位置するように本明細書に記載されるが、ＤＭＳは、スマートフォン及び装着可能装置のそれぞれの処理能力に基づいて、所有者のスマートフォン上に位置してもよく、または装着可能装置上に位置してもよい。これらの代替の実施形態では、「ＤＭＳ」は、装着可能装置のセンサ以外のソースからのコンテンツを受信し、さらに特定の動物の所有者及び／または獣医に転送するために、その受信されたコンテンツを処理する能力によって識別される。ＤＭＳのこれらの代替の実施形態は、本明細書で具体的に除外されない限り、「データ管理システム」の範囲内であると見なされる。例えば、装着可能装置がＤＭＳであると見なされる場合、装着可能装置は、その独自のセンサからのデータ、ならびに装着可能装置上に位置しないどちらかのセンサからの情報、及び／または所有者、獣医、もしくは第三者によって提供される追加のコンテンツを受信するだろう。
【００１６】
さらに、獣医は、品種、年齢、体重、既存の医学的状態、疑わしい医学的状態、予約順守及び／または予定管理、現在及び過去の薬物治療等を含む情報をＤＭＳ３０１に提供し得る。
【００１７】
本開示の目的のために、他のセンサのより一般的な説明とは対照的に、センサの特定のタイプとして、いくつかのセンサが記載される。例えば、本明細書は、位置情報を提供するＧＰＳユニットの使用を記載するが、ＧＬＯＮＡＳＳ、Ｂｅｉｄｏｕ、Ｇａｌｉｌｅｏ、及び衛星を利用したナビゲーションシステムを含む他の位置識別システムが、等しく使用可能であると見なされる。同様に、本明細書は、ＧＳＭ周波数を使用するＧＳＭ送受信機の使用を記載するが、他のセルラーチップセットが、ＧＳＭ送受信機の代わりに、またはＧＳＭ送受信機に加えて、容易に使用され得る。例えば、他の種類の送受信機には、ＵＭＴＳ、ＣＤＭＡ、ＡＭＰＳ、ＧＰＲＳ、ＣＤＭＡ（及びその変形）、ＤＥＣＴ、ｉＤＥＮ、及び他のセルラー技術が挙げられる。
【００１８】
また、本開示の目的のために、種々のセンサ及びセンサの組み合わせが、装着可能装置上に共に位置するように記載される。しかしながら、種々の状況では、１つ以上のセンサは、特定のバージョンの装着可能装置において使用され得ない。例えば、ＧＰＳ関連センサは、動物病院の回復病棟において手術後にのみ使用されるバージョンの装着可能装置に対して有用でない場合がある。正確な位置情報は、獣医が動物の位置を既に知っている場合には必要とされない（またはさらに、屋内では使用できない）ため、ＧＰＳセンサが無効であるか、またはさらにはＧＰＳセンサが含まれていないバージョンの装着可能装置が使用され得る。同様に、他のセンサは、それらのセンサが使用されないことが予期される場合、このバージョンの装着可能装置において機能しなくてもよい（またはそこに含まれなくてもよい）。例えば、ＲＦ信号センサ（基地局からのビーコン信号が既定の閾値よりも上であるかを決定する）は、そのバージョンの装着可能装置がビーコン信号を発する基地局とともに使用されることが予期されない場合、バージョンの装着可能装置に提供されなくてもよい。
【００１９】
本開示に使用する場合、「コンテンツ」という用語は、生データ及び導出されるイベントの両方を含むことが意図される。例えば、本明細書に記載される装着可能装置の一例は、種々のセンサからの生データが継続的にデータ管理にアップロードされるプロファイル／動作モードを含む。装着可能装置の別の例は、種々のセンサからの情報を前処理し、２つ以上のセンサからの信号の組み合わせ（またはそれらの欠乏）からイベント情報を導出する。これらの導出されたイベントは、それらが装着可能装置内で導出されることから「装置導出イベント」と称される。同様に、データ管理システムは、装着可能装置からの生データのみ、装置導出イベント、または両方の組み合わせを使用して、装着可能装置からのコンテンツからイベント（本明細書では「ＤＭＳ導出イベント」と称される）を導出することもできる。さらに、ＤＭＳは、ＤＭＳ導出イベントを確証するために、及び／またはＤＭＳ導出イベントをさらに向上するために、付属的センサまたは第三者センサからのコンテンツをさらに考慮してもよい。例えば、付属的センサまたは第三者センサからのデータには、音声ファイル、画像ファイル、動画ファイル、ＲＦＩＤ情報、及び他の種類の情報が挙げられる。付属的センサまたは第三者センサからのデータを装着可能装置からのデータ／装置導出イベントと相互に関連付けることを補助するために、付属的センサまたは第三者センサからのデータは、タイムスタンプを含み得る。これらのタイムスタンプは、データ管理システムが、そのデータが装着可能装置からのデータ／装置導出イベントの一部であったかのように、付属的センサまたは第三者センサからのデータを使用することを可能にする。さらに、装着可能装置及びＤＭＳと第三者と及び（ならびに第三者装置と）の間での情報の交換は、業界標準のセキュリティ、認証、及び暗号化技法を用いて実施される。
＜装着可能装置＞
【００２０】
図１は、本開示のいくつかの態様に従う、装着可能装置１０１及びその部品の概要である。装着可能装置１０１は、例えば、超広帯域送受信機（ＵＷＢ）、及び本明細書に、少なくとも図１３〜１７に記載される他のセンサ等のいくつかの内部部品を含み得る。センサは図１に表され、センサタイプＡ−Ｆ１１０、１１１、１１２／１１３、１１４、及び１１５として示されるように種々のセンサタイプに分類可能である。図１において別個に示されないが、センサは、本明細書において時にＮ１〜Ｎｍとして称され、「ｍ」は装着可能装置１０１に含まれるセンサの総数である。
【００２１】
図１に示されるように、装着可能装置１０１は、ファームウェア１０２、オペレーティングシステム１０３、及びアプリケーション１０４を含むプロセッサ１００（または当該分野で既知のように複数のプロセッサ）を含む。装着可能装置１０１は、記憶装置１０５（例えば、ソリッドステートメモリ、フラッシュメモリ、ハードディスクドライブ等）も含み得る。装着可能装置は、１つ以上のＲＦ無線、Ｗｉ−Ｆｉ無線、Ｂｌｕｅｔｏｏｔｈ無線、及び／またはセルラー無線送受信機１０７をさらに含んでもよい。装着可能装置１０１は、ローカル入力／出力接続１０８（例えば、ＵＳＢ、光学の、誘導の、Ｅｔｈｅｒｎｅｔ、Ｌｉｇｈｔｅｎｉｎｇ、Ｆｉｒｅｉｒｅ、ステータスライト、またはディスプレイ等）及び電池１０９をさらに含んでもよい。本明細書の目的のために、ローカル入力／出力接続１０８及び無線トランシーバ（複数可）１０７は、概して「出力」と見なされ、それを通じて情報が所有者もしくは獣医に直接（図６の発音装置／ステータスライト／ディスプレイ６０４を通じて）、スマートフォンに直接（セルラー、Ｂｌｕｅｔｏｏｔｈ、もしくはＷｉ−Ｆｉまたは他の通信経路を介して）、またはＤＭＳを通じて通信され得る。
【００２２】
センサタイプＡ−Ｆに関連して、センサタイプＡ１１０は、センサ入力１１６を有し、かつ他の内部部品（例えば、単純なフォトダイオード）を有しないセンサのタイプを指す。センサタイプＢ１１１は、センサタイプＢ内に収容されるセンサ入力１１７及びプロセッサ１１８及び記憶装置１１９を有するセンサを指す。本明細書では、センサタイプＢ１１１は、センサ入力１１７からのデータを（少なくとも一時的に）記憶し、そのデータを処理して、プロセッサ１００により有意な結果を提供することができる。例えば、センサＢ１１１は、誘電体（例えば、心筋または他の筋肉）の動きに基づいて心臓活動等を監視するためのＵＷＢ装置であってもよい。プロセッサ１１８は、ＵＷＢの動作を制御し、その結果を解釈することができる。心肺活動の監視に加えて、ＵＷＢ構成部品は、中核体温の決定のために使用されてもよく、また短距離の高帯域通信用の当該分野で既知のネットワークと通信するための通信送受信機として使用されてもよい。
【００２３】
さらに、点線１１３で示されるように、記憶装置１１９は、プロセッサ１１８が直接書き込む、及び／または記憶装置１０５から直接読み出す程度（プロセッサ１００とプロセッサ１１８との間で共有されるように）まで、任意に記憶装置１０５と関連付けられてもよい。センサタイプＣ１１２及びセンサタイプＤ１１３からの生データは、そのデータがプロセッサ１００に送信される前にプリプロセッサ１２０によって処理される。プリプロセッサ１２０は、データを補正する／調整する／強化する任意のタイプの既知のプロセッサであり得る。例えば、プリプロセッサ１２０は。アナログからデジタルへの変換器、アナログまたはデジタルフィルタ、レベル補正回路等であってもよい。センサタイプＥ１１４は、レーダベースの信号伝達からの結果（ＲＦ信号強度センサ、Ｗｉ−Ｆｉ  ＩＰアドレスロガー等を含む）を提供する上記で具体的に特定されない任意のセンサを含む。最後に、センサタイプＦ１１５は、電池１０９の充電レベル及び温度に関するデータを提供する電池センサを含む。
＜装着可能装置への入力＞
【００２４】
プロセッサ１００は、通信インターフェースを通したコンテンツの転送において、種々のソースからコンテンツを取得する一般的な機能を実施する任意の当該分野で既知のプロセッサであり得る。プロセッサ１００は、本明細書に記載される特定の機能を実施することもできる。通信インターフェースは、マイクロ波アンテナ、ＲＦアンテナ及びＲＦＩＤアンテナ、セルラー無線送受信機、ならびに既知のハードウェアインターフェース（例えば、ＵＳＢ）のうちの１つ以上を含み得る。例えば、プロセッサ１００は、一時的イベントに起因して１つ以上のセンサから収集されたデータの要求に応じて送信を指示することがあり、または既定の予定に従って、もしくはデータがオフラインモードで収集されるＤＭＳに最終的に接続されたときに、送信を指示することがある。
【００２５】
オフラインモードの動作に関連して、プロセッサ１００は、種々のセンサタイプＡ−Ｆ１１０−１１５から生データを受信する。次に、センサならびにその現在のプロファイル及び／または動作モードに応じて、プロセッサ１００は、センサからの読取値に関するコンテンツを記憶する。第１の例では、プロセッサ１００は、センサから全ての生データを単に記憶する。第２の例では、プロセッサ１００は、センサが正常範囲外の読取値を提供したという表示のみを記憶する。正常範囲は、現在のプロファイル及び／または動作モードによって設定されることができ、各センサ信号に対する１つ以上の閾値を含み得る。例えば、周囲温度センサは、それぞれ、２８℃及び１５℃の最大及び最低閾値を有し得る。周囲温度センサからの読取値がこれらの閾値のうちの１つを超える場合、その周囲温度が識別された温度範囲を超えたことを識別するイベントがプロセッサ１００及び記憶装置１０５によって記憶される。この例では、温度範囲を超えたという二進法表示または実際の温度のいずれかが、記憶装置１０５に記憶され得る。さらに、装着可能装置１０１による後続の分析またはＤＭＳもしくは第三者によって実施される分析を支援するために、プロセッサ１００はまた、温度が識別された温度範囲を出たという表示をタイムスタンプする。第３の例では、プロセッサ１００は、識別された範囲を出たセンサからの生データ、及び識別された範囲が超えられたという表示の両方を記憶装置１０５に記憶し得る。例えば、表示は、センサ読取値、タイムスタンプ、及び／または範囲を超えたことに関連付けられる記憶装置１０５に記憶される１つ以上のフラグであり得る。
【００２６】
さらなる例では、プロセッサ１００は、例えば、センサＦ（電池センサ１１５）が、電池が熱過ぎる、及び／または電池の有効電力が低下していることを識別する場合、低電力モードで動作してもよい。この例では、かなりの電力を必要とするセンサは、電力レベルが回復されるか、または電池が再充電されるまで、無効にされ得るか、または起動頻度が低くされ得る。
【００２７】
さらに、プロセッサ１００は、データ管理システムＤＭＳから受信される命令によって、新たなソフトウェア更新を許容し、センサ閾値、設定等を変更することができる。ＤＭＳは、図３を参照して以下に記載される。加えて、所有者は、装着可能装置からの種々のセンサ読取値への注意を喚起される場合、閾値を最小化するように修正してもよい。これは、いくつかの感度の最小化が、所有者が注意喚起されるべきであるときに動物を危うくする可能性があるため、許可または制限され得る。
【００２８】
いくつかの実施形態では、装着可能装置１０１は、基地局（図示されない）に関連付けられ得る。基地局は、装着可能装置１０１の電池１１５を充電することができる。さらに、基地局は、一定のビーコン信号を装着可能装置１０１に発することができる（しかし任意に装着可能装置１０１から戻る通信を受信しない）。いくつかの実施形態では、基地局は、複数の装着可能装置１０１（例えば、各々が一般的なペットの飼い主の動物の各自によって装着される）と対を成してもよい。そのような実施形態では、無線装置のペアリングに関する分野で既知のように、各装着可能装置１０１は、固有の信号記号による起動時に基地局と対を成してもよい。さらに、いくつかの実施形態では、各装着可能装置１０１は、複数の基地局と対を成してもよい。複数の基地局を使用する利益の１つは、異なるそれらの局からの信号の相対強度を比較することによって、装着可能装置１０１が、基地局に対するその位置を大まかに識別できることである（例えば三角測量を介して）。
＜任意の位置決定＞
【００２９】
いくつかの実施形態では、装着可能装置１０１は、センサの一例としてＧＰＳ受信機１０６を含み得る。ＧＰＳ受信機１０６は、いったんビーコンもしくは他のＲＦ信号が閾値レベルよりも下がると、感知された一時的イベントに応答して、要求に応じて、または既定の時間予定に従って、オンにされ得る。したがって、ＧＰＳ受信機１０６は、「常にオン」の状態でなくてもよい（またこのため、例えば、ＧＰＳ読取値が有用でない場合に電力を消費しなくてもよい）。一例として、基地局からのビーコンの信号強度が高い場合、装着可能装置１０１（及びしたがって、装着可能装置１０１を装着している動物）は基地局の近くに位置すると仮定することができ、ゆえに、動物のＧＰＳ座標は、例えば動物の所有者にとって有益でないことがある。したがって、ＧＰＳ受信機１０６は、例えば、プロセッサ１００がＧＰＳ受信機１０６に「オン」にするように命令するまで（例えば、基地局からの信号強度が弱くなるか、または存在しないとき）、「オフ状態」（例えば、電源を切った状態）のままであってもよい。
【００３０】
ＧＰＳ受信機１０６は、動物の位置座標、動物の高度、特定の衛星捕捉状態、及び衛星の軌道を含む、装着可能装置１０１を装着する動物の状態に関する任意の有用な情報を提供することができる。この情報のいくつかまたは全てをセンサ論理計算において使用して、ＧＰＳスラッシング（信号を取得する連続的な試み、及びそれによる電池の枯渇）を低減させることができる。
【００３１】
プロセッサ１００は、ＧＰＳ受信機１０６からの位置情報を使用して、ジオゾーン（ｇｅｏ−ｚｏｎｅ）（ジオフェンス（ｇｅｏ−ｆｅｎｃｅ）とも称される）を識別し、装着可能装置１０１が識別された領域から出たときを決定することができる。例えば、装着可能装置１０１を装着する動物が公園内で首綱を外して遊んでいる場合、動物の所有者（例えば、個人用携帯装置を使用して）、ＤＭＳ、またはその他が、ＧＰＳ受信機１０６に装着可能装置１０１を装着している動物の位置の周りに即時のジオゾーンを創出することを促進し得る。したがって、ペットがかなり遠く（例えば、そのジオゾーンの外）を徘徊する場合、所有者（例えば、セルラー無線送受信機１０７から個人用携帯装置に送信された信号を介して）、ＤＭＳ、またはその他は、ペットがジオゾーンの外に進んだことを通知され得る。
【００３２】
装着可能装置１０１が基地局に関連付けられる実施形態では、プロセッサ１００は、例えば、基地局から発せられたＲＦビーコン信号、Ｗｉ−Ｆｉ信号、Ｂｌｕｅｔｏｏｔｈ信号、または他のＲＦ技術信号が閾値レベルよりも下がるときを決定することができ、それに応答して、ＧＰＳ受信機１０６から装置の位置を取得して、装着可能装置１０１の位置を記録する、及び／または装着可能装置１０１の位置をセルラー無線送受信機１０７、Ｗｉ−Ｆｉ、Ｂｌｕｅｔｏｏｔｈ、もしくは他の技術を介してペットの飼い主もしくは獣医に送信することができる。このため、本開示の一態様に従って、動物が固定された基地局からかなり遠くに逸れるとき、装着可能装置１０１を装着している動物の位置を容易に決定することができる。非セルラーベースの無線機に関しては、信号強度がある特定の閾値を下回るか、または存在しない場合、プロセッサ１００は異なるモデムの送信プロファイルを変更して、種々の利用可能なネットワークに、もしくは指向性探知機として使用される携帯装置ベースのアプリケーションによって、それらを位置付けし易くするか、または接続し易くすることができる。
【００３３】
基地局を含む実施形態の場合、健康監視システムは、本明細書に記載される基地局から得られる読取値をさらに解釈することができる。例えば、基地局から取得され、装着可能装置１０１で受信されるビーコンの信号強度は、ユーザによって設定された一組の閾値と、または高度、中度、及び低度の設定に基づく設定中にＤＭＳによって提供／導出される初期値と比較され得る。いくつかの実施形態では、装置の起動時、及び所有者が敷地内の基地局を設定した後、ユーザは、コンパニオンアプリケーション（例えば、スマートフォンアプリケーション）を使用して、装着可能装置を保持しながらユーザの土地を歩き回り、ユーザの囲い／庭／田畑等の重要な特徴に位置情報をタグ付けする（ｇｅｏ−ｔａｇ）ことができる。各位置では、最適な安全近接及びジオゾーンの導出を支援するために、ＧＰＳ座標及びビーコン信号は記録付けされ、ＤＭＳにアップロードされ得る。所有者は、動物が頻繁に訪れる他の位置（例えば、週末に過ごす土地、ペットシッター等）に設置され得る、または固有の形状の近接区域を創出するために大きく平らな形の土地のいくつかの位置に設置され得る、いくつかの他の基地局を確保してもよい。
＜無線通信＞
【００３４】
セルラー無線送受信機１０７は、装着可能装置１０１でデータを送信及び受信する１つの方法として使用され得る。いくつかの実施形態では、セルラー無線送受信機１０７は、装着可能装置１０１の論理計算を支援し、スラッシング（信号を取得する連続的な試み）を防ぐために、セルラーネットワーク上の存在情報及び／または信号強度の読取値を提供することができる。さらに、セルラー無線送受信機１０７は、リアルタイムクロック調整を提供することができ、ＧＰＳ信号が利用可能ではない、または使用可能な閾値であるか、もしくはそれを下回る場合、ＤＭＳによるセルラー三角測量に使用されてもよい。
＜装着可能装置への入力＞
【００３５】
図２は、装着可能装置１０１によって使用可能な種々の入力の実例を示す。図２は、ＲＦ信号２０１、ＤＭＳ入力及びトリガー２０２、モバイルコンパニオンアプリケーション／センサ２０３からのコンテンツ、ＧＰＳ関連情報２０４、装置アクセサリコンテンツ２０５、Ｗｉ−Ｆｉ／Ｂｌｕｅｔｏｏｔｈ／ＡＮＴ関連情報２０６、セルラー情報２０７、スペクトル分析２０８、音レベルまたは実際の音の録音２０９、加速度２１０、中核体温２１１、ＲＦＩＤ（内部／外部ＲＦＩＤ無線に関する）２１２、電池温度／電池強度２１３、心肺２１４、周囲湿度２１５、ならびに周囲温度２１６を示す。
【００３６】
ＲＦ信号２０１は、例えば、ビーコン信号に関して上述されるように、ペットの飼い主の土地の境界線の位置情報のタグ付け等のための調整可能な設定及びオプションを含む信号を受信することができる。ＲＦアンテナ１０９に加えて、またはその代わりに、装着可能装置１０１は、Ｗｉ−Ｆｉ、Ｂｌｕｅｔｏｏｔｈ、及び／または他のＲＦ技術２０６を含んでもよい。Ｗｉ−Ｆｉ／Ｂｌｕｅｔｏｏｔｈ／ＡＮＴ関連部品１０７は、身体装着から全身エリアネットワークまで、ローカル無線ベースの通信システムを含むことが意図される。
【００３７】
各々は、ＧＰＳ受信機１０６及び／もしくはセルラー無線送受信機１０７と併せて、または対となるアクセスポイントを通して２方向データ送信を提供する代替物であって、装着可能装置１０１の大まかな位置を識別する存在情報及び近接情報を提供し、その時刻情報を読み出す代替物として使用されてもよい。
【００３８】
装着可能装置１０１は、加速信号２１０を提供する加速度計をさらに促進し得る。加速度計は、動物の特定の活動のレベルを報告するために使用され得る。例えば、加速度計からの読取値は、動物が現在、歩いている、走っている、眠っている、飲んでいる、吠えている、引っかいている、震えている等の状態にあると解釈され得る。加速度計は、強い衝撃のイベントの可能性を報告する、ならびに他のセンサ読取値を確証及び／または増補するために使用されてもよい。いくつかの実施形態では、加速度計を使用して、他のセンサを制御することができる（例えば、オンにする、オフにする、パンくずを残す、読取値を無視する等）。さらに、加速度計を使用して、複数の動物のうちのどれが実際に装着可能装置１０１を装着しているかを決定することができる。例えば、ペットの飼い主が二匹以上のペットの間で交換可能に装着可能装置１０１を使用する場合、動物のうちの一匹対して一組の具体的な特質が創出され、各ペットに関して記憶装置１０５に記憶されてもよい。記憶された特質のうちのいくつかは、特定の動物の歩行等の加速度計データならびに吠える音の特徴等の他の特質であってもよい。次いで、これらの記憶された特質を使用して、現在感知された特質を記憶された特質と比較することにより、どのペットが装着可能装置１０１を装着しているかを決定することができる。
【００３９】
装着可能装置１０１とともに使用可能な別のセンサは、照度計である。照度計は、図２のスペクトル分析２０８入力を提供する。単純な例では、照度計は、可視光の閾値の存在または不在と単に関係していることがある。より高度な例では、照度計は、それが赤外光、可視光、及び紫外光のレベルを別個に検出することができるように、その読取値の周波数に特異的であり得る。異なる高度の照度計のこれらの例の両方は、当該分野で既知である。この環境では、プロセッサ１００は、装着可能装置１００が内部または外部に位置するかを決定するために照度計（または複数の照度計）からの信号を使用する。例えば、所与の明度の可視光レベルは、装着可能装置１００が明るい光源下（例えば、日の当たる領域下）に位置することを示すことがあるが、プロセッサ１００は、現在の赤外光及び／または紫外光レベルを可視光レベルと比較し得る。したがって、可視光レベルが高く、赤外光及び／または紫外光レベルも同様に高い場合、プロセッサ１００は、装着可能装置１０１が太陽の外に位置する可能性があることを決定する。あるいは、可視光レベルが高いが、赤外光及び／または紫外光レベルが低い場合、プロセッサ１００は、装着可能装置１０１が（日だまりではあるが）屋内に位置する可能性があることを決定する。
【００４０】
さらに、照度計を使用して、動物の現在の状態を確認または確証するために動物の現在の状態を決定する光レベルを解釈することもできる。例えば、いくつかの実施形態では、極めて明るい光入射は、受光レベル２０８の急変に基づいて、装着可能装置１０１を装着している動物が自動車のヘッドライトを浴びている、または発砲、爆発等の周りにいることを示すことがある。自動車のヘッドライトを浴びているという識別は、加速度計が可視光の急騰の前後に最小の運動を示す間の、夜間の周辺光の突然の急騰に基づいている場合がある。さらに、位置決定（例えば、ＧＰＳ受信機から）は、動物が接近してくるヘッドライトで照らされていたかの決定を増補するために、加速度計信号の代わりに、またはそれに加えて使用されてもよい。短期間の可視光の急騰の間に生じる音声信号の同様の急騰は、発砲、爆発等の周りにいると解釈され得る。
【００４１】
スペクトル分析のより高度な使用は、動物の環境に存在する、それらの皮膚／毛皮、開口部から発せられる、及び／またはそれらの呼気に存在する微量の化学的特徴を検出する能力を含み得る。例えば、読取値は、危険な環境条件（例えば、塩素の高い読取値）、皮膚に関連する問題（例えば、酵母）、及び内部に関連する条件（例えば、他の症状が明白になる前に呈され得る動物の呼気中のケトン）を示し得る。さらに、スペクトル分析センサは、化学的特徴の匂いを嗅ぐ場合もある。硫黄の検出を光及び音の急騰と組み合わせることは、動物が最近、発砲または他の爆発の近くに位置していたことの決定の確証を補助する。
【００４２】
周囲温度２１６を提供する周囲温度センサが、センサの別の例として提供され得る。周囲温度センサを使用して、装着可能装置１０１を装着している動物の位置（例えば、屋内対屋外）を決定することができる。いくつかの実施形態では、プロセッサ１００は、周囲温度２１６を経時的に記録し、現在の変化率を決定する。その現在の変化率が、一定期間存在するように既定の率を上回る場合、プロセッサ１００は、その変化率が、装着可能装置１０１を装着している動物が近い将来に過熱しているか、または凍えることの予測であると識別する。さらに、いくつかの実施形態では、周囲温度センサは、他のセンサを確証または制御するために使用されてもよい。
【００４３】
装着可能装置１０１は、周囲湿度入力２１５を提供する湿度センサも含み得る。いくつかの実施形態では、温度センサは、感知温度を湿球設定に調整するために使用され得る。これらの湿球設定は、動物の熱の喪失／獲得の計算に重要な場合があり、動物の位置を大まかに識別するために使用され得る（例えば、屋内または屋外）。さらに、温度センサからの信号２１５として識別される過剰な湿度または乾燥は、温度読取値と組み合わせて、熱指数または風速冷却を決定することができる。
【００４４】
さらに、マイクまたはピーク雑音検出器センサは、音入力２０９を提供することができる。マイク／ピーク雑音センサは、例えば、特定の音イベント（吠える等）を測定するために使用されてもよく、他のセンサ読取値を確証するために使用されてもよい。例えば、照度計が、例えば、装着可能装置１０１を装着している動物が車両のヘッドライトを浴びている可能性があることを示す実施形態では、道路雑音を感知するマイクは、例えば、衝撃イベント（その車両に衝突されている）であると解釈され得る。衝撃イベントを決定する具体的な方法が、本明細書に記載される。
【００４５】
センサの別の例は、電池の強度及び／または温度に関する情報を提供する内部電池強度及び／または電池温度センサ２１３であり得る。内部電池強度及び／または温度センサは、ある特定の他の感知活動を調節するために、及び／または他の感知活動への入力源としてのいずれかで使用され得る。例えば、内部電池が低下しているという感知に応答して、電力を節約するためにＧＰＳ捕捉負荷サイクル及び／またはセルラー送信が低減され、装着可能装置１０１の動作を延長することができる。
【００４６】
中核体温２１１を提供する中核体温センサが、センサの別の例として提供され得る。中核体温センサを使用して動物の中核体温を非侵襲的に測定し、このようにして、動物のリアルタイムの中核体温及び経時的な動物の中核体温の変化の両方に関連するデータを提供することができる。
【００４７】
装着可能装置は、内部無線機／センサのうちの１つ以上に関係している１つ以上のアンテナを含み得る。アンテナに取り付けられる内部部品のうちの１つは、ＵＷＢ装置であってもよい。当該分野で既知のように、ＵＷＢ装置は、種々の条件を監視するために使用され得る（例えば、胎児監視、心肺監視等に使用される）。本明細書では、ＵＷＢ装置は、様々な異なる条件を監視するために使用され得る。例えば、いくつかの実施形態では、ＵＷＢ装置を使用してＵＷＢ信号を送信及び受信し、動物の心臓の動作を非侵襲的に監視することができる。この監視動作からの信号は、次いで、プロセッサ１００によって処理され、一時的イベントが生じたのか（例えば、異常に高い心拍数）、より複雑なイベントが生じたのか（例えば、過剰なランニング後の熱性疲労）、及び動物の心肺系が望ましくない状態に向かっているのか（例えば、平均心拍数の上昇）を決定する。本明細書では、平均心拍数に加えて、統計偏差も提供され得る。その際、統計偏差は、獣医あるいは所有者へ転送される他の平均率を伴ってもよい。
【００４８】
具体的には、ＵＷＢ装置は、装着可能装置１０１を装着している動物の一回拍出量及び血圧の相対変化を測定するために使用され得る。本明細書の目的のために、ＵＷＢからの一回拍出量読取値は、バイタルサイン読取値に加えて有用である。他の実施形態では、ＵＷＢ装置を使用して、装着可能装置が実際に動物上にあるかを決定することができる。いくつかの実施形態では、動物のプロファイル（例えば、記憶される特性）は、装着可能装置１０１を装着している２匹以上の動物に対して利用可能であり得る。そのような実施形態では、ＵＷＢ装置を使用して、どの動物に装着可能装置１０１が現在取り付けられているのかを決定することができる。例えば、ＵＷＢ装置での読取値を記憶された心肺プロファイルと比較して、複数の動物のうちのどれが現在装着可能装置１０１を装着しているのかを決定することができる。さらに、ＵＷＢ装置を使用して、動物が食べている、飲んでいる、及び／または嘔吐していることを示すような頸部組織における変化を解釈することができる。さらに、ＵＷＢ装置を使用して、消化管の障害物の可能性を調査するために腹部領域における信号を解釈することができる。
【００４９】
動物及び／またはその環境の１つ以上の特質を測定するために、任意の他の望ましいセンサが装着可能装置１０１の部品として提供されてもよい。本開示の利益を得る当業者であれば、本開示の範囲から逸脱することなく、装着可能装置１０１に組み込まれ得る多数の他のセンサを認識するだろう。さらに、装着可能装置１０１内に収容される部品及び／またはセンサは、電源、電力調整器、ローパスフィルタ、アンテナ等のいくつかの共通電気回路を共有してもよく、ならびに組み合わせたデータソースからより多くの意味を導出するために互いに感知データを共有する。
【００５０】
本開示のいくつかの態様に従って、装着可能装置１０１（もしある場合は、関連付けられる基地局（複数可））及びＤＭＳは、１つ以上の動物の特定の健康特質に関するデータを収集する、及び／または１つ以上の動物の特定の健康特質を監視するために使用される健康監視システムの一部を形成し得る。さらに、いくつかの実施形態では、センサの多くのうちの１つは、本明細書に記載される別のセンサの活動を起動する、停止する、制御する、拒否する、許容する、またはスロットルで調整する能力を有し得る。加えて、健康監視システムは、受動及び能動センサの両方ならびに複数のアンテナを含んでもよく、多種多様な電気機械エネルギーを生成及び受信するが、１つ以上の部品の基準出力が、誘導方式で別の部品の能力を強化する場合がある。
【００５１】
本開示のいくつかの態様に従う健康監視システムは、装着可能装置１０１のセンサと相互作用するか、さもなければ装着可能装置１０１のセンサを補足する外部センサ（例えば、装着可能装置１０１の外部のセンサ）をさらに含んでもよい。いくつかの実施形態では、これらの外部センサは、聴診器、超音波センサ、赤外線温度センサ、パルスオキシメータ、血圧監視装置、グルコース測定器、血液分析器、呼気分析器、尿分析器、脳スキャナ等の脱着可能なアナログ／デジタルアイテム（これらの全ては、追加のアプリケーションソフトウェアを含み得るか、及び／または装置ソフトウェアによって制御され得る）、ならびにセンサ及び読取値の既存の組を強化／協同するためのフィルタ／付属物を含み得る。これらの分離可能なセンサの個々の動作は、当該分野で既知である。本明細書では、装着可能装置１０１は、これらの追加のセンサが接続され得るプラットフォーム、ならびに本明細書に記載されるように所有者もしくはＤＭＳ（またはさらに第三者）への中継のために記憶装置１０５に記憶されるそれらのデータまたは分析されたコンテンツを提供する。
【００５２】
いくつかの実施形態では、これらの外部センサは、他の周知の装置と一体化して提供され得るか、または他の周知の装置に関連付けられ得る。例えば、健康監視システムは、カメラ（レンズ／フィルタ付属物の有無は問わない）、マイク、スピーカー、ＧＰＳ、ならびに装着可能装置１０１及び／または健康監視システムに差し込まれ得るか、またはそれらによって利用され得る他のアイテムからデータを収集することができる。いくつかの実施形態では、これらのセンサは、個人用携帯装置（例えば、スマートフォン等）の一部であってもよい。これらの外部センサ及び／または携帯ブラウザアプリケーション／取り付けられたアプリケーションの各々は、動物の安全性、福利、及び健康を支援するための重要な、一時的な、導出された、もしくは傾向の情報を提供するだろう追加の及び／または協同的な感知情報を提供するために、独立して作動し得る、装着可能装置１０１と併せて作動し得る、装着可能装置１０１によって誘起され得る、または要求に応じて、一時的に、もしくは予定に基づいてＤＭＳによって誘起され得る。加えて、上述の活動の全ては、本明細書に記載されるようにセンサデータのタイムスタンプされた相関関係を提供するために、携帯装置ならびにコンパニオンアプリケーション及び付属物／アクセサリによって誘起され得る。
【００５３】
記載される健康監視システムと併せて使用される外部センサのさらなる例には、ＲＦＩＤ近接タグと通信し、ＲＦＩＤコンテンツ２１２を提供するＲＦＩＤ近接センサが挙げられる。例えば、ＲＦＩＤ近接タグは、動物の寝床に、その餌用のボウルに、その水用のボウルに、戸枠の外に、門柱の外に、ごみ箱の近く等に設置され得る。このため、装着可能装置１０１を装着している動物が、上述のアイテムのうちのいずれかの近くにいるとき、装着可能装置（ＲＦＩＤセンサを介して信号を受信する）は、動物が寝ている、食べている、飲んでいる、外にいる、庭の外にいる、ごみを漁っている等の解釈をすることができる。
【００５４】
健康監視システムは、例えば、コンパニオンウェブ／モバイルベースのアプリケーション、電話コールセンター活動／テレプロンプト等を通して収集される動物の所有者の観察をさらに使用することができる。所有者の観察は、測定されるイベント（例えば、装着可能装置１０１及び／または１つ以上の外部センサで測定されるイベント）を確証することができ、偽陽性及び偽陰性の進行速度の低下を支援する。例えば、いくつかの実施形態では、健康監視システムは、視野内の事前に識別された標識が動物を横切るように携帯装置に不可欠な可動カメラを振ることを所有者に命令する可動重量／大きさのモバイルデバイスアプリケーションを含む。次いで、この動作から導出される前処理されたデータは、ＤＭＳにアップロードされ、ここで、動物の体重及び大きさに応じて結論が導出され得る。次いで、そのようなデータは、動物の記録に付加される。他の重要な所有者に記録される観察には、カロリー摂取量、尿中の血液、黒色便、口臭、過度の口渇、顔の周りの白い皮膚の斑点、動物の傾向の記録等の観察可能な項目が挙げられる。例えば、コンピュータまたはスマートフォン上で実行されるアプリケーションを通してカロリー摂取量が所有者によって監視されてもよく、そこで所有者は、どの食物がどの間隔でどの程度消費されたのかを特定する。
【００５５】
さらに、健康監視システムは、動物の内部に設置されるセンサ（例えば、侵襲的であるが目立たないセンサ）を含み得る。例えば、動物内に埋め込まれたマイクロチップ等は、例えば、血液酸素測定、グルコース監視、ＥＣＧ、ＥＥＧ等に関するデータを提供することができる。
＜データ管理システム＞
【００５６】
図３は、様々なソースからの入力を受信するデータ管理システム３０１の例を示す。それらの入力は、個々の動物に特有であり得るか、または関連動物に一般的に関係し得る（品種、年齢、健康状態等を含む１つ以上の特性で関連付けられる）。図３は、ＲＳＳフィード３０２、インターネット検索コンテンツ３０３、ソーシャルフォームコンテンツ３０４、獣医との会話からのコンテンツ、症状探索等３０５、セルラーネットワーク関連情報３０６、Ｗｉ−Ｆｉ／Ｂｌｕｅｔｏｏｔｈ／ＡＮＴ関連情報３０７、装着可能装置１０１を基盤とするセンサ及びアクセサリ３０８、第三者電子サービス３０９、獣医観察３１０、コンパニオンモバイルアプリケーション／センサからのコンテンツ３１１、所有者観察３１２、ならびに第三者家庭用遠隔健康センサ３１３を受信するデータ管理システム３０１を示す。
【００５７】
ＤＭＳ３０１はデータ受信及び処理システムであり、装着可能装置１０１からデータ及び／または装着可能装置導出イベントを受信し、そのコンテンツを直接、または装着可能装置からのより古いデータ、もしくはより古いデータの過去の分析と併せて、または他のソースからのデータと併せて、またはそれらの任意の組み合わせで分析する。ＤＭＳ３０１は、図１に示される装着可能装置１０１のプロセッサ１００及び記憶装置１０５のものと同様に、１つ以上のプロセッサ、記憶装置、オペレーションソフトウェア、入力／出力経路等を含む。さらに、ＤＭＳは、インターネットを介する通信がサーバまたは他のハードウェアデバイスでＤＭＳに受信され、コンピュータ実行可能命令及びワークフローに従って処理されるクラウドベースの計算プラットフォームであってもよい。この例では、ＤＭＳは、ＤＭＳ３０１を種々のコンテンツソース３０２〜３１３に接続する業界標準のインターネット接続、ルーター、サーバを有し得る。獣医と比較して所有者に送信される警告は、異なってもよい。さらに、センサが特定のプロファイルに関係して動作している場合であっても、ＤＭＳは、ＤＭＳの所定の設定に基づいて警告を区別し、転送し続けることができる。
【００５８】
本開示のいくつかの実施形態では、健康監視システムは、外部のリッチサイトサマリー（ＲＳＳ）フィード３０２を使用してデータをさらに収集することができる。例えば、システムは、ＲＳＳフィード３０２を介して天気、環境、日々のペットの健康情報、公表された研究データ等に関するデータを受信し得る。いくつかの態様に従って、この受信されたデータは、本明細書で考察されるように、装着可能装置１０１、他の外部ソース等から収集されるデータを確証する、補足する、及び強化するために使用され得る。
【００５９】
健康監視システムのいくつかの実施形態は、例えば、非侵襲的家庭用テレマティックスソリューション３１３からのデータをさらに受信し得る。例えば、システムは、スマートマット、スマートモーション／ＩＦ検出器、及び市場に普及している他の装置からのデータを受信してもよい。このため、屋内のペット及び動物はこれらの装置を誘起し、このようにして、存在、体重、生理的兆候、及びバイタルサイン等のセンサアーチファクトを記録することができる。これらの記録（ヒト家庭監視システムによって通常処分され得る）は、システムに価値のあるデータ収集／確証点を、例えば、ＤＭＳ（本明細書に記載される）に提供することができる。いくつかの技法を用いて、このデータをＤＭＳにアップロードすることができる（例えば、コンパニオンモバイルデバイスアプリケーション、ユーザが入力した読取値、Ｂｌｕｅｔｏｏｔｈ、Ｗｉ−Ｆｉ、他のＲＦ技術等）。
【００６０】
図２における健康監視システムの一部として、及び本明細書に記載されるように使用される場合、装着可能装置１０１は、センサが収集したデータ（例えば、センサ及び上述のその他を通して）の主要なソースであり得る。全てのセンサ及びそれらの入力は、有意な独立した警告を創出するために、ならびにデータからさらに多くの意味を発展及び抽出するためのＤＭＳへの入力として、データ融合によって知的に組み合わせることが可能である。
【００６１】
いくつかの実施形態では、本明細書に記載される健康監視システムは、図３に概略的に示されるような装着可能センサ１０１に対して遠隔のＤＭＳ３０１を含み得る。いくつかの実施形態では、ＤＭＳ３０１は、装着可能装置１０１及び／または他のセンサから情報を受信することができる。さらに、ＤＭＳ３０１は、例えば、ペットの飼い主に（例えば、コンピュータ、スマートフォン、タブレット、地上通信、装着可能装置１０１のディスプレイ、図６Ａ及び６Ｂのステータスライト／ディスプレイ／音測定器６０４等を介して）、及び／または獣医に（例えば、ウェブベースのダッシュボード、ファクシミリ、地上通信、携帯警告等を介して）、情報を送信することができる。いくつかの実施形態では、ＤＭＳ３０１は、所定の基準に従ってデータを送信することができる。例えば、いくつかの態様に従って、ＤＭＳ３０１は、予定に基づいて定期的に情報を送信することができる。他の実施形態では、ＤＭＳ３０１は、その情報が閾値の値を超えるときに情報を送信することができる。さらに他の実施形態では、ＤＭＳ３０１は、要求に応じて（例えば、ペットの飼い主、獣医等から要求される）、データを送信することができる。
【００６２】
いくつかの実施形態では、ＤＭＳ３０１は、動物の安全性、ウェルネス、及び健康に関する所有者ならびに獣医に有意な／実用的な情報を導出するためのソースにかかわらず、全ての入力のデータリポジトリであってもよい。いくつかの状況では、装置１０１を装着している動物に特有の情報（例えば、第三者情報サービスデータ３０９及び第三者獣医チャットサービスデータ３１１）は、第三者の分析を支援するために、データ（３０７、３１１）を第三者から受信する前にＤＭＳ３０１から第三者に転送され得る。ＤＭＳは、受信されたデータを分析して、ＤＭＳ導出イベントとしてのデータの意味を決定することができる。次に、それらのイベントに基づいて、ＤＭＳは、それらの導出イベントに関係している記憶装置からファイルされた勧告を得て、それらの勧告をコンパイルし、そのコンパイルされた勧告を所有者及び／または獣医に実用的な情報として提供することができる。例えば、その有意な情報が、過去一週間で動物の体重が５ポンド増加し、通常よりも低い活動率を呈したことである場合、ＤＭＳ３０１は、体重増加及び体重増加の量、ならびに識別された勧告（複数可）に関係している記憶装置からファイルされた勧告を検索し得る。次に、その結果は、コンパイルされ、所有者／獣医に実用的な情報として転送される。
【００６３】
概して、以下は、所有者に報告され得る典型的な推論を列記する：動物が指定された安全区域外にいる；動物が過熱もしくは凍え得る潜在的な状況が存在する；動物が事故（種々のレベルの重大性の強い衝撃のイベント）にあっていた可能性がある；所有者及びペットの生活様式プロファイルに対するフィルタを適用した後であっても、動物の活動レベルが低下している；動物が跛行している（歩行の変化に基づく）；極度の雑音及び光の指標に基づいて、動物が潜在的に危険な環境にいると思われる；動物が睡眠中に強い倦怠感を示している（痛み、消化の問題、呼吸の問題、または過去の生理学的外傷を示すことから）；動物の心拍数の変動性が異常である；動物の呼吸速度及び質が異常である；動物に苦痛／痛みがあると思われる（大きい全身運動がある場合にキャンキャンと鳴く）；ならびに、ファイルされたもの、またはそれらの電子プロファイルの一部である他のバイタルサイン指標に対してそのゲートプロファイルを検査することによって最初は割り当てられていた装着可能装置が動物上にない。
【００６４】
典型的な提案される行動には、特定の懸念事項の発展を確認または退けるために所有者の個人的な動物の観察を増加させる；動物のセンサプロファイルの項目の閾値が、所有者及び特定のペットの日々の生活パターン、年齢、品種、大きさ、ならびに既知の医学的状態とより密接して一致するように、それらを増加／減少させる；動物の活動を増加／減少させる；動物の食生活を監視する（カロリー摂取量を記録する）；過熱／凍結状況が発生する可能性から動物を移動させる；特異的な咳の音に関して動物を監視する；所有者に特定の関連記事／リンク／動画等を参照させる；任意のオンラインの「獣医質問（ａｓｋ−ａ−ｖｅｔ）」サービスに助言を求める；ならびに、生命に関わる状況に基づいて可能な限り早くそれらの獣医を訪れることが挙げられる。
【００６５】
以下は、所有者に問題の報告をもたらすトリガーの実例である：読取値をプリセットの閾値と比較するイベントを確認するセンサまたはセンサの群に基づく一時的な問題；特に疑わしい状態に対する良いまたは悪い傾向の読取値に基づく装置１０１レベルまたはＤＭＳ３０１レベルでの分析における時間ベースの分析（別名、長期的なベース）；所有者または獣医の要求に応じて；所有者または獣医の安全性、ウェルネス、及び健康の目標に基づいて動物の状態のスナップ写真を提供するために定期的に。
【００６６】
獣医は、ウェルネスの問題及び深刻な健康問題を引き起こし得るバイタルサイン、特定の既知の健康状態の監視、ならびに処方された治療法の有効性の監視に基づいて、より少ない数の推論／提案及びより多くの経験的データを受信し得る。獣医は、動物が良いまたは悪い傾向にあることを提案するバイタルサイン及び他の生理学的情報を受信し得る。送信される情報である獣医に対するトリガーとして機能し得る項目は、その閾値を超えた一時的なバイタルサイン（複数可）読取値もしくは生理学上の読取値、または獣医により設定される閾値を超えた経時的な傾向を生じる導出されたバイタルサイン（複数可）もしくは生理的兆候（複数可）を含む。
【００６７】
また、獣医は、以下の現在の起こり得るバイタルサイン、環境的兆候、または生理的兆候、すなわち中核体温、周囲温度及び湿度、ならびに中核体温に関心を持つ場合がある。獣医は、以下の肺の情報：検出される肺の動きならびに測定される呼吸数及び呼吸律動、測定される呼吸時間及び呼気時間（ｔｉ／ｔｅ）、検出される非対称の呼吸（炎症、障害、窒息）、測定される胸部圧迫数、深度、及び胸部リコイル、ならびに測定される慢性気管支炎及び慢性気管支炎の進行監視に関心を持つ場合がある。獣医は、次の心臓の情報：検出される心臓の動き及び測定される心拍数及び心臓律動、心臓の一回拍出量及び心拍出量の測定される変化、血圧の閾値との比較、鬱血性心不全を発症する兆候、徐脈及び頻脈の兆候、血胸／気胸の兆候に関心を持つ場合がある。さらに、獣医は、以下の他の情報：発作の兆候、子宮収縮率及び強度、睡眠時無呼吸等の起こり得る睡眠障害の識別、動物内の異物の兆候、長期のセンサデータ、心臓活動、呼吸活動、及び中核体温の平均及び統計偏差、活動レベル、推定体重、推定水和レベル、ならびに日中／夜間の平均周囲温度に関心を持つ場合がある。イヌ糸状虫、嘔吐及び下痢、肥満、感染性疾患、ケンネルコフ及び他の発症している呼吸状態、下部尿路感染、歯科疾患、皮膚アレルギー、骨及び軟組織の損傷、癌（例えば、動物の呼気中のケトンレベルの変化による）、心臓の異常の発症、苦痛／痛み、ならびに認知障害は、ＤＭＳ３０１によって導出され、診断用に所有者または獣医に特定され得る見本となる推論である。特定の処方された治療法の影響、手術を受けたばかりの動物の回復状況、及び獣医によって決定される基準線に対するバイタルサインの傾向は、センサデータと獣医から提供されるデータとの組み合わせから作成される見本となる症状／推論である。
【００６８】
そのような能力において、ＤＭＳ３０１は、生データ、装着可能装置１０１のレベルで前処理されたデータを受信していることがある。例えば、加速度計の｛ｘ，ｙ，ｚ｝ｇ値は、固定窓（例えば、１秒間の窓）にわたって平均化されてもよく、マグニチュードの偏差が計算され、高度の活動、中程度の活動、または低程度の活動の指定が、動物の活動に基づいて割り当てられ得る。別々の装置からのサウンドファイル、ＲＳＳフィード、及び他の異なっているデータ種は、分析のために分類され、タイムスタンプされ、選別され、及び準備される必要がある。ＤＭＳがこれらの相違する種類のデータを受信するため、ＤＭＳ３０１はこれらの相関付けを実施し得る。例えば、ＤＭＳ３０１は、装着可能装置１０１から高い周囲温度読取値を受信し、それを装着可能装置１０１の現在のまたは最後に識別された位置の予期されるローカル温度（ＲＳＳフィード３０２またはインターネット検索３０３によって得られる）と比較し得る。周囲温度が高く（例えば、４５℃超）、その位置の予測される高温がたった２０℃である場合）、ＤＭＳ３０１は、窓が閉められた車の中に動物が閉じ込められていることを導出し得る。この導出イベントに基づいて、ＤＭＳは、警告３１４として所有者に警告を試み得る。警告３１４は、１つ以上の電子メール、ＳＭＳ、または他のテキストメッセージシステム、（Ｔｗｉｔｔｅｒ及びＦａｃｅｂｏｏｋ等のような）ソーシャルメッセージシステムの形態であってもよく、または所有者に直接電話することによってもよい。警告の頻度及び閾値は、固定され得るか、またはユーザによって設定可能であり得ることが理解される。
【００６９】
ＤＭＳ３０１は、過去のイベント、現在のイベント、または起こり得る将来のイベントの予測に関する情報も含み得る。ＤＭＳ３０１は、種々の通信チャネル及び装置を通して、装着可能装置１０１と第三者サービス、獣医、及び／またはペットの飼い主との間の通信ハブとしても機能し得る。例えば、いくつかの実施形態では、ペットの飼い主は、フリーフォームテキストまたはドロップダウンメニュー（有効に、１つのセンサの感覚的プラットフォームとなる）を通して独自の観察を記録するために飼い主の個人的な携帯装置を入力装置として使用してもよく、このため、ＤＭＳ３０１は、所有者から個人的な携帯装置を介してこれらの入力を受信する。ＤＭＳ３０１に記憶される各データ要素は、各々が、例えば、所有者／ペットプロファイルに戻ることなく独立するように、メタタグで標識され得る。そのようなメタタグは、大規模の特徴のないデータ分析を容易にすることができるタイムスタンプ、地理学的データ、品種、年齢等を含み得る。
＜装着可能装置１０１の頸部配置＞
【００７０】
図４は、本開示の一態様に従う、装着可能装置１０１を含む首輪４０２を例示する。図４に示されるように、首輪４０２は、装着可能装置１０１が動物４０１の頸部の近くに位置付けられるように、装着可能装置１０１を含み得る。したがって、そのような実施形態では、センサは、感知位置４０２で動物４０１の頸部の近くのデータを受信する。さらに、装着可能装置１０１は、送受信位置４０４でデータを受信及び送信する。
【００７１】
図５は、装着可能装置１０１を含む首輪４０２を装着している動物の頸部の断面図を例示する。示されるように、首輪４０２は、留められると、動物の頸部のより低い位置で毛皮５０１に隣接して装着可能装置１０１を位置付ける留め金５０５を含み得る。図５は、動物の頸部内の構造の概算位置を示す。具体的に、図５は、装着可能装置１０１に関連する頸動脈５０３、頸静脈５０４、食道５０９、気管５１１、及び脊柱５１０を示す。そのような構成では、心肺のアンテナ（例えば、ＵＷＢ装置）及び装着可能装置１０１内に収容される他の内向きの部品（例えば、ＥＣＧ及び超音波プローブ）は、首輪４０２の内部に設置されるが、プロセッサ１００、他のセンサ、及び他の部品（例えば、ＲＦアンテナ１０９、ＲＦＩＤアンテナ１１１等）は、首輪４０２の反対側に（例えば、位置５０７に）位置付けられる。さらに、外向きのアンテナは、内向きのアンテナとの干渉を最小化するために、位置Ａ〜Ｉのいずれかに位置付けられ得る。あるいは、位置Ａ〜Ｉに位置付けられるセンサは、動物との接触の干渉から隔てることによって改善した読取値を有し得る。例えば、周囲温度センサが位置Ａに設置された場合、動物がその胸部上に横たわり、装着可能装置１０１が動物の足の上にある場合、誤った読取値の可能性が存在する。周囲温度センサを代替位置、例えばＤ〜Ｉに位置付けることで、動物がこの位置に横たわるときにセンサが動物の足から離間され得るため、センサからの読取値を改善することができる。さらに、代替例では、異常な読取値の影響を低減させるために、種々のセンサが首輪４０２の周りに複製され、それらの読取値が平均化され得るか、または最高及び最低の読取値が除外され得る。
【００７２】
図５に示されるように、装着可能装置１０１は、例えば、動物の頸動脈５０３及び／または食道５０９から正確な読取値が得られるように、首輪４０２の内側の動物の皮膚の近くに内向きのアンテナを保持したまま、首輪４０２の外側で情報を受信及び送信することができる。あるいは、読取値は、頸動脈５０３の代わりに、または頸動脈５０３と併せて、頸静脈５０４から取得されてもよい。気管の周囲の筋肉運動を含む、他の組織運動が目的とされてもよい（気管の軟骨は、いくつかの誘電信号に反射せず、直接検出可能ではない場合があるため）。
【００７３】
本開示のいくつかの実施形態に従う装着可能装置１０１の構成は、図６Ａ及び６Ｂを参照することによってより容易に理解され得る。図６Ａは、装着可能装置１０１の実施形態の上面図を例示し、図６Ｂは側面図を例示する。図６Ａ及び６Ｂの実施形態では、装着可能装置１０１は、２つの部分、すなわち、内側部分６０１及び外側部分６０３を含み得る。内側部分６０１は、ＵＷＢアンテナ、マイクロ波アンテナ、または超音波アンテナ等の内向きのアンテナを含み得る。例えば、アンテナは、位置６０５及び６０６に位置してもよい。外側部分６０３は、プロセッサ１００、及び外向きのアンテナを含む図１の他の部品等の他の部品を含み得る。一例では、部分６０１の内向きのアンテナは、異なる組のアンテナ間の干渉を最小化するために、部分６０３の外向きのアンテナから金属もしくは金属化層または他の既知のアンテナ隔離材料で遮蔽され得る。さらに、オン／オフ状態を含む状態情報が、ステータスライト６０４によって所有者に提供され得る。ステータスライト６０４は、単純なＬＥＤであってもよく、またはＤＭＳへ情報を送信し、次いで所有者のスマートフォンに転送されることとは対照的に（またはそれに加えて）所有者にコンテンツを表示するように構成されるディスプレイスクリーン及びタッチインターフェースを含んでもよい。加えて、６０４は、設定の変化に応答する音発生器であり得る。
【００７４】
図５に示されるように、装着可能装置１０１が動物に設置されるとき、内向きのアンテナは、動物４０１の近く（例えば、首輪４０２の内側）に位置し、このため、正確な感知を提供するだろうが、データを送信及び受信するために使用されるいくつかの部品を含む他の部品は、外向きのアンテナの送受信能力が他のアンテナの動作によって低下させられないように、動物４０１から離して（例えば、首輪４０２の外側に）設置されてもよい。
【００７５】
さらに、金属または金属化プローブ６１０及び６１１を使用して、センサのためのプローブと皮膚との接触を確立することができ、これは、直接的な皮膚接触によって改善され得る。これらのタイプのセンサは、皮膚温度センサ、心拍数センサ、及びＥＣＧセンサを含み得る。温度センサに関して、これらのプローブは、１つ以上の熱感知部品に取り付けられ得る（またはそれらの熱感知部品を含み得る。熱感知部品には、サーミスタ、熱電対等、及びそれらの組み合わせが挙げられる。
＜装着可能装置１０１の胸部配置＞
【００７６】
他の実施形態では、装着可能装置１０１は、動物４０１の頸部の周りには装着されず、むしろ、センサによる情報を受信するために任意の好適な位置に装着され得る。例えば、図７に例示されるように、装着可能装置は、動物の胸部の周りに装着されるハーネス７０１の一部として提供されてもよい。そのような実施形態では、感知位置７０３及び送受信位置７０４は、動物の頸部の近く（図４に示される）ではなくむしろ、動物の胸部の近くだろう。装着可能装置１０１の特定の位置にかかわらず（頸部位置または胸部位置、電池１１５及び他の脱着可能な部品は、ペットの飼い主７０５によって取り外し可能及び交換可能であり得る。
＜センサの動作＞
【００７７】
図８〜１２及び２２は、装着可能装置１０１及び／またはＤＭＳ３０１の処理を示すフローチャートに関する。これらのフローチャートは、１つ以上のセンサからの信号を分析する種々の態様を説明するために使用される。センサ情報に基づく他の種類の分析が、閾値比較の代わりに可能であることが理解される。他の既知の技法には、ベイズ推定分析、ニューラルネットワーク、回帰分析等が挙げられ、信号入力を分析するためのそれらの使用は、本開示の範囲内に包含される。
【００７８】
ここで図８において、基本センサ処理（例えば、１つ以上の内部センサ、外部センサ、内部センサ、及び／または他のセンサの処理）を表すフローチャートが示される。図８に示されるように処理されるセンサは、常にオンである、割り込み駆動型である、または要求に応じて誘起されるかのいずれかのものであり得る。ステップ８０１で、センサデータがセンサｎから受信される。ここでも、このセンサデータは、絶えず受信され得る（例えば、常にオン）、別のセンサの読取値によって誘起され得る（例えば、割り込み駆動型）、またはセンサデータを要求するペットの飼い主、獣医等に応じて（例えば、要求に応じて）受信され得る。ステップ８０３で、受信されたセンサデータは、閾値の値と比較される。ステップ８０３で、比較されたデータと閾値の値との関係は、対象となることが起こっていないようなものであり得る。そのような状況では、データは、ステップ８０９で示されるように無視されてもよく、方法は、追加のデータを受信するためにステップ８０１に戻るだろう。しかしながら、比較されたデータが閾値を超える場合、この発生は、ステップ８０５で記憶装置に書き込まれる。任意に、またはステップ８０５に加えて、ステップ８０７に示されるように、警告がペットの飼い主に提供され得るか、またはＤＭＳに送信され得る。この警告は、ローカルであってもよく（例えば、装着可能装置１０１上の警報音）、及び／または遠隔であってもよい（例えば、ペットの飼い主の個人的な携帯装置上、獣医学のダッシュボード内等）。さらなる修正版では、決定ステップ８０３のＮＯ出力から無視ステップ８０９への破線で示されるように、読取値が閾値内であったという肯定表示として、センサｎからの信号が閾値を超えなかったという事実も記憶され得る。さらに、一連の記憶評価は、ＤＭＳによって使用可能であり得る漸進的変化のパンくずデータセットを提供する。
【００７９】
図９は、複数のセンサ｛ｎ１、ｎ２、及びｎ３｝からの読取値が動物の状態を決定するために使用され得る実施形態を示す。ここでも、図内のセンサの各々は、絶えずオンであり得る、割り込み駆動型であり得る、または要求に応じて誘起され得る。ステップ９０１、９０３、及び９０５で、各センサｎ１〜ｎ３からデータを収集する。考察されるように、センサは、装着可能装置１０１及び／または外部装置（例えば、スマートフォン、ＲＳＳフィード等）に位置してもよい。センサｎ１、ｎ２、及びｎ３のいずれかは、ステップ９０６において警告条件を個別に誘起することができ、ステップ９０７において記憶装置に書き込まれ、ステップ９０９において（任意に）警告が所有者またはＤＭＳに提供され得る。さもなければ、ステップ９０８において決定が無視される。図８のプロセスと同様に、データは、ステップ９０６からステップ９０７へ、次いでステップ９０８へ戻る破線で示されるようにセンサ読取値が閾値を超えないにもかかわらず、パンくずが作成され得る。
【００８０】
あるいは、ステップ９０６は、３つ全ての読取値の一致を必要とする場合があり、警告条件を確認するか、または感知されたデータを無視するかのいずれかのために加重基準が必要とされる。例えば、ステップ９０７で、それぞれ、ステップ９０１、９０３、及び／または９０５で警告条件を誘起するセンサｎ１、ｎ２、及び／またはｎ３のうちの１つ以上に応答して、例えば、警告条件が存在するかを決定するために、各センサからの感知されたデータの組み合わせは、１つ以上の閾値と比較される。さらに、ステップ９０７で、感知された読取値は、ローカル（例えば、装着可能装置１０１）に記憶されるか、または例えば、ＤＭＳ３０１に記憶されるかのいずれかである過去の読取値と比較され得る。このため、複数のセンサ（示される実施形態ではｎ１〜ｎ３）からの感知されたデータを使用して、ステップ９０７で、動物及びペットの安全性、ウェルネス、及び健康に関する推論が、センサの読取値及び／または例えば、パンくず（タイムスタンプされた記録）の分析に基づいて形成され得る。センサデータの組み合わせが警告を誘起する場合（例えば、データの組み合わせが警告条件を確認する場合）、ステップ９０９で、警告は（例えば、ペットの飼い主及び／または獣医等）に返送され得る。しかしながら、センサデータの組み合わせが、１つ以上の閾値と比較された後に警告を誘起しない場合、データはステップ９０８で無視され、方法は、さらなるデータを受信するためにステップ９０１／９０３／９０５に戻る。任意のイベント（例えば、警告または無視）では、読取値及び結果は、ステップ９０７で、ＤＭＳ３０１へのその後のアップロードのためにローカル記憶装置に書き込まれ得る。
【００８１】
ステップ８０３でのセンサデータまたはステップ９０７での複数のセンサデータの分析は、システム内の任意の好適な位置で実施され得る。いくつかの実施形態では、分析は、装着可能装置１０１で実施され得る。そのような実施形態では、装着可能装置１０１は、一時的なデータ分析（例えば、独立した知的判定）ならびに長期的なデータ分析を実施することができる。後者に関して、装着可能装置は、経時的な種々のイベントのいくつかの記録されたパンくずを監視し得る。例えば、装着可能装置１０１は、貨物倉に保管されるペットをＦＡＡ規則に従って動物の状態を監視するために、経時的な動物の体温を監視し得る。他の実施形態では、装着可能装置１０１は、動物４０１が地域の法律を確実に順守するために、または潜在的なストレス指標として連続した吠え声を解釈するために、経時的な動物の吠え声を監視し得る。
【００８２】
他の実施形態では、センサデータの分析は、ＤＭＳ３０１で実施され得る。
ここでも、ＤＭＳ３０１は、一時的なデータ分析ならびに長期的なデータ分析の両方を実施し得る。後者に関して、ＤＭＳ３０１は、個々のイベント、組み合わせたイベント、及び導出されたイベント（例えば、活動レベルに対するカロリー摂取量）を調べてもよい。ＤＭＳ３０１でそのようなイベントを調べることによって、動物の３０１の健康及びウェルネスのパターンが決定され得る。例えば、ＤＭＳ３０１は、動物４０１が獣医を離れた後の、その薬物もしくは療法治療後の動物の改善（またはその欠乏）のパターンを決定し得る。さらに、装着可能装置１０１のデータは、分析の実施において他のソース（例えば、ＲＳＳフィード３０２、所有者観察３１２等）からのセンサと組み合わせられ得る。例えば、度日の数を含むＲＳＳフィード３０２は、例えば、動物４０１が過熱しているか、またはむしろ、異常に暖かい月であるだけであるかを決定するために、装着可能装置１０１でいくつかの高温警告と比較され得る。別の例として、所有者の観察３１２（例えば、身体運動後のよろめき、異常な疲労、異常な咳、青白い歯茎等の観察）は、ＤＭＳ３０１に、より細かな粒度で、より頻繁に感知し、装着可能装置１０１のレベルで心肺アルゴリズムのより過敏な閾値を有するプロファイルを用いるように、装着可能装置のプロファイルまたは動作モードを修正させ得る。
【００８３】
図８及び９に表されるように、動物の健康及びウェルネスの分析は、個々のセンサ（例えば、図８）からのデータ、または同時に２つ以上のセンサ読取値の組み合わせ（例えば、図９）からのデータを分析することによって実施され得る。他の実施形態では、動物の健康及びウェルネスの分析は、第１のセンサのデータを確証するために、１つ以上の追加のセンサを誘起する１つ以上のセンサによって実施されてもよい。これは、図１０を参照してより容易に理解され得る。図１０に示されるように、データが、ステップ１００１で１つのセンサ（示される実施形態ではｎ１）から受信される。このデータは、図８及び９に関して記載されるように、ステップ１００３で１つ以上の閾値と比較される。センサ読取値が閾値を超えない（例えば、関心をひかない）場合、データはステップ１００７で無視され、方法は追加のデータを得るためにステップ１００１に戻る。あるいは、データは、ＤＭＳ３０１への後のアップロードのために、ステップ１００５でローカルに常に記憶され得る／書き込まれ得る。
【００８４】
ステップ１００１で得られるセンサｎ１からのデータが、ステップ１００３で１つ以上の閾値を超えない場合、追加のセンサからの信号は、ステップ１００１から受信されたデータを確認または確証するために確認され得る。つまり、いくつかの実施形態では、１つ以上のセンサ（示される実施形態ではｎ１）は、閾値レベルを感知した後、「マスタ」センサとして機能し、次いで、追加の「スレーブ」センサを続いて制御することができる。本明細書では、ステップ１００１〜１００９はマスタセンサｎ１の動作に関し、破線のボックス１０００Ｍで集合的に識別される。同様に、ステップ１０１０〜１０１４は、スレーブセンサｎ２及びｎ３の動作に関し、破線のボックス１０００Ｓで集合的に識別される。示される実施形態では、いったんステップ１００１で収集されたデータがステップ１００５で閾値を超えると、追加のスレーブセンサが誘起され、ステップ１０１０（ｎ２）及びステップ１０１１（ｎ３）でデータを、またはそれらの以前に収集された確認されたデータを収集する。ステップ１０１２で、受信されたデータ（例えば、ステップ１００１、１０１０、及び／または１０１１で受信されるデータ）の分析を実施することができ、動物の健康及びウェルネスに関して、推論が作成され得る。さらに、各センサ（ｎ１、ｎ２、及びｎ３）から受信されるデータは、本明細書に記載されるように、動物の健康及び／またはウェルネスに関する推論を決定するために、任意に加重され得るか、さもなければ調整され得る。ステップ１０１２で、組み合わせたデータが閾値レベルを超えない（例えば、ステップ１０１０及び／もしくは１０１１で収集されたさらなるデータが、ステップ１００３で作成された推論を確認しない、ならびに／またはむしろ否定する）場合、データはステップ１００７で無視されてもよく、このため、方法は新たなデータを収集するためにステップ１００１に戻り、このようにして、動物４０１を絶えず監視する。しかしながら、ステップ１０１０及び／もしくは１０１１で収集されたデータが、ステップ１００１で収集されたデータから作成された推論を確認または補足する場合、この決定を記憶装置１０５に書き込むことによって、この決定はステップ１０１３で記録される。さらに、警告が、ステップ１０１４で動物の所有者及び／または獣医に返送され得る。ここでも、作成された推論（例えば、警告に対する無視）にかかわらず、データは、ＤＭＳ３０１へのさらなるアップロードのために、ステップ１０１３でローカルに書き込まれ得る／記憶され得る。
【００８５】
図８〜１０に記載される方法（例えば、単一のセンサまたはセンサの組み合わせから作成された推論）は、動物の健康またはウェルネスの特定の推論に到達するために使用され得る。例えば、１つ以上のセンサＮｍの分析によって、一時的及び／または長期的な推論が、動物の健康及びウェルネスに関して作成され得る。１つ以上のセンサを使用して作成され得る一時的な推論の一例として、一実施形態では、ＧＰＳジオゾーン警告は、例えば、ＧＰＳセンサ（装着可能装置１０１上に提供されるセンサの一例である）を使用して確認または中止され得る。具体的には、ジオゾーン警告は、例えば、１つ以上の衛星との通信の一時的な喪失に起因する偽陽性である傾向があり得る（これはこのため、動物４０１の運動であると解釈され得る）。しかしながら、いくつかの実施形態では、ＧＰＳジオゾーン警告は、その警告を確証／確認するために加速度計の読取値と比較されることがある。具体的には、動物４０１が動いていない場合（加速度計から受信されるデータから決定される）、ジオゾーン警告は中止され得る。
【００８６】
同様に、いくつかの実施形態では、例えば、ＲＦ信号の信号強度は、例えば、ジオゾーンの破損を確認するために動物４０１のＧＰＳ位置と比較され得る。具体的には、ＧＰＳからの読取値は、動物４０１がジオゾーンの外に移動したことを示し得る。しかしながら、基地局からのＲＦ信号（ＲＦアンテナで受信される）の信号強度が依然としてかなり強い場合は、ＧＰＳ読取値は、偽陽性であると解釈することができ（例えば、１つ以上の衛星との通信の喪失の結果）、このため、警告は中止され得る。
【００８７】
１つ以上のセンサを使用して作成され得る一時的な推論の別の例として、高加速の読取値（例えば加速度計から）は、動物４０１が衝撃イベント（例えば、車両に衝突される）に巻き込まれたかを決定するために、追加のセンサを誘起し得る、及び／さもなければ追加のセンサからのデータと比較され得る。例えば、加速度計からの高加速の読取値は、例えば、装着可能装置１０１上の照度計及びまたはマイク（内部センサの２つの例である）からの読取値で補足され得る。高加速の読取値に加えて、装着可能装置が高い光入射の読取値（例えば、ヘッドライト）及び／または高い雑音の読取値（例えば、衝撃）を受信した場合、起こり得る衝撃イベントの警告が返送され得る。
【００８８】
１つ以上のセンサを使用して作成され得る一時的な推論の別の例として、周辺のフェンスの破損（ＲＦアンテナ１０９、Ｗｉ−Ｆｉ、Ｂｌｕｅｔｏｏｔｈ、または他のＲＦ技術により決定される）は、例えば、動物４０１が実際に家を離れたかを決定するために、装着可能装置１０１上の周辺光、音、温度、及び／または温度センサ（内部センサの一例である）からの読取値と比較され得る。感知された湿度、温度、光等が、動物４０１が外にいることを示す場合、周辺のフェンスの警告が返送され得る。しかしながら、各読取値が、動物４０１が外にいることを示す場合、周辺のフェンスの破損の警告は、偽陽性であると解釈され、このため、中止され得る。
【００８９】
１つ以上のセンサを使用して作成され得る一時的な推論の別の例として、例えばマイク（センサの一例である）からのデータは、動物４０１が、例えば、閾期間よりも長く吠えていたかを決定するために、加速度計（センサの別の例である）からの読取値と比較され得る。例えば、マイクからの読取値は、動物４０１が吠えていることを示し得るか、またはいくつかの他のイベント（例えば、雷）に起因し得る。しかしながら、加速度計から受信されるデータは、吠えるイベントの特徴的な頭部運動または振動が感知されたかに従って、動物が吠えていたことを確認／否定することができる。
【００９０】
さらに、内向きのアンテナ（例えば、ＵＷＢアンテナ）から感知されたデータは、呼吸の質等に関連している多くの推論を形成するために、マイクと比較され得る。例えば、ＵＷＢアンテナを使用して、頸部領域の筋肉（例えば、動物の気管５１１の周囲の筋肉）の運動を監視することによって、動物の呼吸の質の推論を形成することができる。さらに、感知されたＵＷＢデータは、動物４０１がケンネルコフ、気管支炎等を有するかに関して推論を形成するために、装着可能装置１０１上に位置するマイク及び／または外部マイク（例えば、スマートフォン等の所有者の個人的な携帯装置上に位置するマイク）によって確証され得る。
【００９１】
１つ以上のセンサを使用して作成され得る一時的な推論の別の例として、非侵襲的な心臓出力は、心拍数（１分間当たりの拍数）、質（１分間にわたる変動）の両方、及び一回拍出量を測定することによって決定することができ、一時的または傾向基準のいずれかでＵＷＢ技術を使用して心拍出量を提供する。これらの測定値から導出される他の結論は、経時的な血圧の変化、及び動物が外部または内部出血によって血液量を喪失しているかも含み得る。これらのセンサは、特定の対象の信号を取り出すために、動物の胸骨の近くの胸部上に、喉笛及び頸動脈の近くの頸部の前面に、または動物の他の部分に設置され得る。
【００９２】
１つ以上のセンサを使用して作成され得る一時的な推論の別の例として、非侵襲的中核体温が、いくつかの内部及び周囲のサーミスタから測定され得る、ならびに／または導出され得る。さらに、他の技法とともにマイクロ波ラジオメトリ／温度測定（マイクロ波アンテナを使用する）を使用して、中核体温の変動を決定することができ、低体温症、高体温症、細菌もしくはウイルス感染症、炎症、疾患の発症、免疫介在性もしくは腫瘍性疾患、極度運動、または排卵の兆しであり得る。
【００９３】
１つ以上のセンサを使用して作成され得る一時的な推論の別の例として、消化管の閉塞の非侵襲的測定は、ＵＷＢ技術を使用してこの活動からのデータの読み取り及びアップロードを可能にするように装着可能装置１０１を関心領域に移動させることによって達成され得る。
【００９４】
１つ以上のセンサを使用して作成され得る一時的な推論の別の例として、動物の飲水及び摂食習慣の非侵襲的測定は、食道及び周辺組織を含む頸部領域からの信号を検査することによって、ＵＷＢ技術を使用する他のセンサを用いて、独立して測定され得るか、または確証され得る。
【００９５】
いくつかの実施形態では、例えば、本明細書で考察される推論のうちの１つ以上を決定するために、動物４０１の基準線測定値が決定され、次いで、その後のデータ収集と比較され得る。いくつかの実施形態では、２つ以上のセンサから受信されるデータは、例えば、それがこの基準線データを収集するための最適な時期であることを決定するために使用され得る。例えば、いくつかの実施形態では、時計または他の部品（例えば、照度計等）は、例えば、それが夜間であることを決定するためにアクセスされ得る。さらに、加速度計からのデータを参照して、例えば、動物４０１が眠っていることを確認することができる（ほとんどまたは全く加速度がないことにより示される）。そのような実施形態では、１つ以上のバイタルサイン及び／または生理的兆候の基準線測定値は、動物４０１が眠っていることを示す１つ以上のセンサに応答して取得され得る。
【００９６】
１つ以上のセンサから一時的な推論を決定する上記方法は、特定の例を参照してより容易に理解され得る。一実施形態では、装着可能装置１０１は、加速度計、マイク（内部センサの例である）、及び／または心肺センサ（例えば、ＵＷＢ装置）を含み得る。そのような実施形態では、加速度計は、高い加速度イベントを測定することがあり、装着可能装置１０１／ＤＭＳ３０１は、起こり得る衝撃イベント（例えば、動物４０１が車両に衝突された）を示していると加速度を解釈し得る。次いで、装着可能装置１０１／ＤＭＳ３０１は、他のセンサ、例えばマイクを参照することによって、この解釈を確証または確認することができる。例えば、マイクが高加速の瞬間に大きい雑音を感知した場合、衝撃イベントの推論が確認され得る。これは、次いで、心肺センサ（例えば、ＵＷＢ装置）等の他のセンサを誘起し得る。例えば、心肺センサは、異常に関して動物４０１を確認してもよく、例えば、血液量の喪失（例えば、内部または外部出血を示す）に関して動物４０１を確認することを含み得る。
【００９７】
装着可能装置１０１及び／またはＤＭＳ３０１によって作成される衝撃イベントの一時的な推論の例が、図１１に例示される。図１１は、１つ以上のセンサの読取値が、イベントが生じたことを示すとどのように解釈され得るかを例示する。図１１に示されるように、５つのセンサからの信号は、それぞれ、Ｎａ、Ｎｂ、Ｎｃ、Ｎｄ、及びＮｅと識別されるセンサとともに使用される。センサＮａ１１０１、Ｎｂ１１０２、及びＮｃ１１０３からの読取値は、それぞれ、重み係数ＷＮａ１１０４、ＷＮｂ１１０５、及びＷＮＣ１１０６によって、独立して加重される。次に、ステップ１１０７において、これら３つのセンサの読取値の加重された組み合わせが閾値ａ１を上回るかが決定される。いいえの場合、次いで、システムはステップ１１０８においてセンサ読取値を無視し、動物を監視するために戻る。はいの場合、次いで、この決定はステップ１１０９において記憶され、警告がステップ１１１０において警告レベル１として提供される。
【００９８】
図１１は、第２の警告レベル（警告レベル２）を決定するための能力も含む。例えば、システムは、ステップ１１０７の後、警告レベル１に達したことを知る。システムは、ステップ１１１１において加重された組み合わせをさらに確認してもよく、または、追加の加重を実施して、その加重された組み合わせを第２の警告レベル閾値、ここでは、ａ２閾値と比較してもよい。ステップ１１１１がはいの場合、つまりそれは、第２の警告レベルａ２がステップ１１１２において記憶され、ステップ１１１３において警告レベル２が所有者／ＤＭＳに特定される。
【００９９】
センサＮａ、Ｎｂ、及びＮｃからの初期の加重されたセンサ読取値に基づいて第２の警告レベルが発見されないようにステップ１１１１がいいえの場合、第２の警告レベルに達したことの決定を可能にする追加のセンサ入力が存在し得る。例えば、センサＮｄ１１１４及びＮｅ１１１５からのセンサ読取値が取得され得る。センサＮｄからのセンサ読取値に対して、システムは、ステップ１１１５において、センサ読取値がセンサＮｄの低閾値を下回るかを決定する。はいの場合、次いで、この決定は、ステップ１１１２において記憶され、ステップ１１１３において警告レベル２が提供される。ステップ１１１５がいいえの場合、システムは、ステップ１１１６において、センサ読取値がセンサＮｄの高閾値を上回るかを決定する。はいの場合、次いで、この決定は、ステップ１１１２において記憶され、ステップ１１１３において警告レベル２が提供される。ステップ１１１６がいいえの場合、次いで、システムは、ステップ１１１０において警告レベル１を提供し続ける。
【０１００】
同様の決定が、センサＮｅからの読取値に関して作成され得る。センサＮｅからのセンサ読取値に対して、システムは、ステップ１１１８において、センサ読取値がセンサＮｅの低閾値を下回るかを決定する。はいの場合、次いで、この決定は、ステップ１１１２において記憶され、ステップ１１１３において警告レベル２が提供される。ステップ１１１８がいいえの場合、システムは、ステップ１１１９において、センサ読取値がセンサＮｅの高閾値を上回るかを決定する。はいの場合、次いで、この決定は、ステップ１１１２において記憶され、ステップ１１１３において警告レベル２が提供される。ステップ１１１９がいいえの場合、次いで、システムは、ステップ１１１０において警告レベル１を提供し続ける。
【０１０１】
最後に、当初のセンサレベルのうちの１つが、そのセンサのプロファイル外であるかを決定するために再検討され得る。例えば、ステップ１１２０において、センサＮｃのセンサ読取値が、そのセンサのプロファイルに対して比較される。読取値がそのプロファイル外である場合、この決定は、ステップ１１１２において記憶され、ステップ１１１３において警告レベル２が提供される。ステップ１１２０がいいえの場合、次いで、システムは、ステップ１１１０において警告レベル１を提供し続ける。
【０１０２】
以下は、図１１が、イベントが生じたかを決定するために特定のセンサ読取値にどのように適用され得るかを説明する。以下の例は、高い衝撃イベントが生じたことの決定がどのように作成されるかを説明する。本明細書では、センサＮａ、Ｎｂ、Ｎｃ、Ｎｄ、及びＮｅは、それぞれ、照度計センサｎ１、マイク／ピーク音センサｎ２、加速度計ｎ３、ＧＰＳ受信機ｎ４、及び心肺センサｎ５で表される。
【０１０３】
ステップ１１０３で、加速度計（ｎ３）は、高い衝撃イベントを潜在的に示す高い加速イベント（例えば、１０＋Ｇ’ｓ）を感知する。この実施形態では、加速度計（ｎ３）は、ステップ１１０３でこの一時的な状態（例えば、衝撃イベントを示す可能性のある高い加速度）を感知したときに、他のセンサの感知及び／またはデータ報告を制御し、イベントを確認／確証することができるように、「マスタ」センサとして機能する。具体的には、プロセッサ１０１は、加速度計ｎ３の高い信号を使用して、照度計ｎ１及びマイクｎ２からの最近の読取値を見直すことができる。それらの最近の読取値は、センサによって記憶装置１０５または記憶装置１１９において記憶されていた場合がある。この結果は、この例において、加速度計センサｎ３がマスタセンサであり、照度計ｎ１及びマイクｎ２がスレーブセンサであるということである。
【０１０４】
スレーブセンサからの前の読取値は、一時的な閾値イベントを探すために再検討され、前の時間間隔の間に何か起こったのかに関するより正確な事実を創出し、場合によっては、加速度計ｎ３から起こり得る高い衝撃イベントを確認する。このため、ステップ１１０５で、プロセッサ１００は、高い加速読取値の直前及び高い加速読取値と重なる期間に関してマイク／ピーク音センサ（ｎ２）から記憶されたデータを読み出し、ステップ１１０７で、プロセッサ１００は、高い加速読取値の直前及び高い加速読取値と重なる期間に関して照度計ｎ１から記憶されたデータを読み出す。
【０１０５】
ステップ１１０４〜１１０６で、各センサから受信されるデータは、ステップ１１０７において、構成されたプロファイルが、対象のイベント（例えば、衝撃）が生じた高い蓋然性を満たすかを決定するために、加重され、単一の結果に組み合わされ得る。例えば、照度計（ｎ１）が高い光入射（潜在的にヘッドライトを示す）を感知した場合、及び／またはマイク／ピーク音センサ（ｎ２）が大きい雑音（潜在的に車両によって衝突されることを示す）を感知した場合、方法は、ステップ１１０７で、衝撃が実際に生じたことを決定し得る。他の読取値が起こり得る衝撃イベントを確認しない場合、ステップ１１０８で、データは無視され得る。関係なく、受信されるデータは、ＤＭＳ３０１へのその後のアップロードのために、ステップ１１０９でローカルに書き込まれ得るか、及び／または記憶され得る。
【０１０６】
組み合わせられ、かつ確証されたデータが、ステップ１１０７においてある特定の条件を満たす場合（例えば、各々が衝撃イベントを示す）、マスタセンサ（示される実施形態では、加速度計ｎ３）は、例えば、個々のスポット読取、予定に基づく読取を行う、または各センサの感知構成を変化させるために、他のセンサ（それ自体を含む）を誘起し得るか、及び／またはその状態を変化させ得る。読取値が不確定である場合、センサは、読み取りを続けるように命令される。
【０１０７】
例えば、示される実施形態では、ステップ１１０９で、加速度計（ｎ３）は、割込みモードの状態（例えば、一時的イベントの探索）から、運動活動のリアルタイム監視に変化する（プロセッサ１００によって制御されるように）。このリアルタイム監視は、ステップ１１２０で決定されるように、動物の歩行が劇的に変化したかを決定するためにプロファイルと比較され得る。ステップ１１１７で、ＧＰＳセンサ（ｎ４）は、動物４０１の位置、速度、及び／または方向を決定するように命令される（すなわち、プロセッサ１００によって制御される）。動物４０１が持続した様式で移動している場合、この読取値は、そこに割り当てられるより低いリスク比を有し得る。さらに、ステップ１１０７で、心肺センサ（ｎ５）は、心拍数、呼吸速度、一回拍出量、及び／または血圧の変化を確認するために誘起され得る。このため、心肺センサ（ｎ５）は、異常（例えば、血液の喪失）を探索して、リスク比を読取値に割り当て得る。あるいは、換言すると、プロセッサ１００は、心肺センサｎ５からの異常な読取値を探索し、リスク比をそれらの読取値に割り当てることができる。
【０１０８】
ステップ１１１５、１１１６、１１１８、及び１１１９では、装着可能装置１０１及び／またはＤＭＳ３０１のプロセッサは、例えば、決定されたエピソード（例えば、衝撃イベント）に従う警告レベルを決定するために、上述のセンサのうちの１つ以上からのデータを比較し得る。例えば、上述の加重されたデータ点の全てを考慮した後、プロセッサは、記録されたイベントがセンサ読取値の信頼性に基づいて所有者及び／または獣医に送信される種々のレベルの警告に値するか（ステップ１１１０及び１１１３において）を決定することができる。さらに、装着可能装置１０１は、衝撃イベントに続く動物の発育を絶えず監視するために、ステップ１１１０及び１１１３で読み取りを続けるように命令され得る。
【０１０９】
以下の等式は、センサの値の加重及び警告レベル閾値に対する比較を説明する。以下の等式（１）は、センサＮｃからのセンサ読取値が、センサＮｃの閾値に対してどのように確認されるのかを説明する：
【数１】
2017504323.tif 000003
【０１１０】
以下の等式（２）は、センサＮｃからのセンサ読取値がセンサＮｃの閾値に対してどのように確認されるのかを説明し、閾値を超える場合、センサ読取値Ｎａ及びＮｂ及びＮｃの加重された組み合わせが、警告レベル１の閾値を超えるかを決定する：
【数２】
2017504323.tif 000004
式中、
ａ１は、ａ１を超える値
が警告レベル１をもたらすが、ａ１を下回る値が警告をもたらさないような警告レベル１の閾値であり、
時間Ｔ１、Ｔ２、及びＴ３は、センサＮａ、Ｎｂ、及びＮｃの前の読取値が再検討される時間間隔であり、
Ｗａ、Ｗｂ、及びＷｃは、Ｎａ、Ｎｂ、及びＮｃセンサ読取値の各々に対する加重値である。
【０１１１】
特に、等式（２）は、時間窓の間のセンサの最大値（または適宜最小）を閾値で除することにより各センサの値を正規化する。これにより、各センサの個々の単位を相殺することができる。次に、それらを追加して、警告レベル１（ａ１）の閾値に対して比較できるように、重み係数は各正規化されたセンサ読取値を縮尺する。
【０１１２】
以下の等式（３）は、等式（２）と同様であるが、警告レベル閾値を警告レベル２のａ２閾値に設定する分析を説明する：
【数３】
2017504323.tif 000005
式中、
ａ２は、ａ２を超える値が警告レベル２をもたらすが、ａ２を下回る値が警告をもたらさないような警告レベル２の閾値であり、
時間Ｔ１、Ｔ２、及びＴ３は、センサＮａ、Ｎｂ、及びＮｃの前の読取値が再検討される時間間隔であり、
Ｗａ、Ｗｂ、及びＷｃは、Ｎａ、Ｎｂ、及びＮｃセンサ読取値の各々に対する加重値である。
【０１１３】
等式（４ａ）及び（４ｂ）は、等式（２）に関するが、図１１のスレーブセンサ分析も含む：
【数４】
2017504323.tif 000006
式中、
ａ１は、ａ１を超える値が警告レベル１をもたらすが、ａ１を下回る値が警告をもたらさないような警告レベル１の閾値であり、
時間Ｔ１、Ｔ２、及びＴ３は、センサＮａ、Ｎｂ、及びＮｃの前の読取値が再検討される時間間隔であり、
Ｗａ、Ｗｂ、及びＷｃは、Ｎａ、Ｎｂ、及びＮｃセンサ読取値の各々に対する加重値であり、
「ｎａの既存のプロファイル」は、時間間隔間のｎａの期待値に対するプロファイルである。
【０１１４】
本明細書では、警告レベル２は、所定のレベルに達するマスタ及びスレーブの両方によって作動されることで定義される。警告レベル１は、その所定のレベルに達するマスタのみによって作動され、その所定のレベルに達しないスレーブによって作動されないことで定義される。
【０１１５】
上記の等式は、センサが、各センサ読取値に対して評価される時間Ｔに基づいて他の装置上に位置付けられることも可能にする。そのように、いったん共通時間が決定されると（例えば、センサＮｃからの読取値がＮｃ閾値を超えた時間Ｔ（Ｎｃ））、他のセンサ読取値はその時間Ｔ（Ｎｃ）から時間正規化され、評価される。
異なる装置上に位置するセンサ
【０１１６】
上述のように、センサの全てが装着可能装置１０１上に位置してもよく、または装着可能装置１０１上に位置するものもあれば、別個の装置上に位置するものがあってもよい。別個の装置は、ユーザのスマートフォン（例えば、スマートフォン上のマイク）であってもよい。要するに、データは、１つを超える装置（例えば、装着可能装置１０１及びユーザの携帯装置）上に位置するセンサから捕捉され、比較されてもよく、例えば、動物の健康及びウェルネスに関する一時的な推論を決定するために比較される。例えば、図１２は、１つを超える装置からセンサデータを捕捉するための一例の方法を例示し、それは次いで、ＤＭＳ３０１に転送され、動物の健康及びウェルネスに関する推論（示される例では、呼吸の推論）を決定するために分析され得る。図１１のように、図１２のタイムライン１２０１１は、各ステップが実施される互いに対する相対的時間を示す。図１２において、ステップ１２０１で、ユーザは、モバイルデバイスアプリケーションを開く。例えば、本明細書に記載される健康監視システムは、要求に応じてセンサを誘起することができる動物４０１の所有者のスマートフォン、タブレット、コンピュータ等にダウンロードされ得るコンパニオンモバイルアプリケーションを含んでもよい。ユーザは、動物の所有者または獣医等であり得る。ステップ１２０２では、ユーザは、データの収集を望む機能を選択することができる。データを捕捉して、戻すために選択される特定のセンサは、ユーザがどの特定の推論を誘起するか等によって異なり得る。図１２に示される実施形態では、ユーザは、呼吸分析を選択する。ステップ１２０３で、この呼吸分析に関するデータを収集及び／または転送するために、コマンドがセンサに送信され得る。例えば、ユーザが「呼吸分析」を選択したため、コマンドは、ともに装着可能装置１０１上に位置する心肺センサ（ｎ５）及び加速度計（ｎ３）に、ならびにユーザの携帯装置上に位置するマイク（ｎ１４）に送信され得る。ステップ１２０４、１２０５、及び１２０６で、各々それぞれの装置は、データを収集し得る、及び／または以前に収集されたデータを読み出し得る。これらのセンサは、待機状態にされ、イベントの開始（例えば、咳の発作のような）に基づいて誘起され得る。
【０１１７】
以下の３つの例では、以下のシナリオが説明される：携帯装置と装着可能装置との間で誘起がなく（ＤＭＳによって同期されるのみ）、装着可能装置による記録を開始するように携帯装置を誘起し、携帯装置による記録を開始するように装着可能装置を誘起する。第１の例では、ユーザの携帯装置上で実行するアプリケーションが実行され、タイムスタンプしながら音声ファイルを記録し得る。ＤＭＳは、加速度計から得られるデータのタイムスタンプに基づいて、音声ファイルを加速度計からの読取値と相互に関連付けることができる。第２の例では、携帯装置または装着可能装置は、閾値を超える感知されたレベルに基づいて、他のものを誘起し得る。例えば、携帯装置は、装着可能装置が携帯装置に警告する時点である、装着可能装置が装着可能装置の加速度計が咳の発作の感知を開始したことを示すまで待機していてもよい。この警告に応答して、携帯装置は、タイムスタンプを有する音声ファイルの記録を開始し得る。この例では、イヌが咳を開始する前に記録された過剰な対象ではない音声ファイルは、記録されない。第３の例では、携帯装置は、携帯装置上のマイクが咳の発作の音を取り上げたこと、及び装着可能装置が動物を監視することを装着可能装置に通知する。以下の３つの例では、以下のシナリオが説明される：
【０１１８】
ステップ１２０４〜１２０６で収集されたデータの各片は、分析時に各々が順に並べられ得るか、さもなければデータの各片をその他と正確に統合して考えるために同期され得るように、タイムスタンプされ得る。ステップ１２０７で、装着可能装置１０１で収集されたデータはＤＭＳ３０１にアップロードされ、ステップ１２０８でユーザの携帯装置で収集されたデータはＤＭＳ３０１にアップロードされる。ステップ１２０９でアップロードされたデータは、咳の関連性が開始したときを決定するためのタイムスタンプの同期に基づいて互いに相関される。次に、ステップ１２１０において、このデータはＤＭＳ３０１で分析され、動物の健康及びウェルネス（示される例では、呼吸品質）に関する適切な推論を決定する。
【０１１９】
例えば、組み合わせたデータは、動物４０１がケンネルコフまたは気管支炎に罹患しているという推論を導くことができる。さらに、いくつかの実施形態ではデータはタイムスタンプされるため、センサ読取値が全く異なるソース（本明細書では、装着可能装置１０１及び携帯装置）から得られる場合であっても、推論は容易に決定することができる。分析ステップ１２１０はＤＭＳ３０１で実施されるように記載されるが、他の実施形態では、分析は、ユーザの携帯装置及び／または装着可能装置１０１で実施されてもよい。
【０１２０】
図８〜１２に示される方法を使用して作成される一時的な推論に加えて、長期的な推論（例えば、傾向的推論）が上記方法を使用して作成され得る。つまり、収集されたデータは装着可能装置にローカルに記憶される（例えば、ステップ８０５、９０７、１００５／１０１３、及び／もしくは１１０９／１１１２で）、ならびに／または記憶のためにＤＭＳ３０１にアップロードされることがあるため、経時的なデータの変化または変動等は監視され、したがって、長期的な（傾向的）推論が動物の健康及びウェルネスに関して作成され得る。
【０１２１】
例として、いくつかの実施形態では、動物の長期的な体重変動が監視されてもよく、それに応じて、動物４０１に関する推論が作成され得る。例えば、長期的な体重変動の監視は、脂肪の少ないペットは寿命が１５％増加する（＋２年間）ため重要であり、病態の発症の前触れともなり得る。尺度の反対側において、急速な体重減少は、身体が糖尿病の発症によりタンパク質及び脂肪を分解している消化管閉塞または悪液質を示すことがある。このようにして、経時的な動物の体重を監視及び比較することによって、動物の健康及びウェルネスに関する推論が決定され得る。
【０１２２】
１つ以上のセンサを使用して決定され得る長期的な推論の別の例として、動物の活動レベルが監視されてもよい（例えば、加速度計、ＧＰＳ等を使用する）。さらに、測定される活動レベルは、動物４０１及び／または動物の所有者の週末及び平日の生活様式プロファイルに対してＤＭＳ３０１によって調整され得る。例えば、所有者が午前３時に動物を散歩に連れていく場合、これは所有者によってＤＭＳに特定されてもよく、ＤＭＳは、所有者に動物が夜間に所有者の家を離れたことを警告することを控える。監視された活動レベルから作成される推論は、動物が十分な運動機会を提供されていないこと、または関節炎のような病状が、自分で開始した活動の間に動物を減速させていることを示し得る。
【０１２３】
１つ以上のセンサを使用して決定され得る長期的な推論の別の例として、動物の摂食及び水和習慣が、経時的に監視され得る。水和及び摂食の変動は、糖尿病に関連する過食及び多飲の病状の発症の重要な指標であり得る。
【０１２４】
１つ以上のセンサを使用して決定され得る長期的な推論の別の例として、動物の健康及びウェルネスに関する推論を形成するために動物の睡眠パターンが監視され得る。睡眠パターンは、骨関節炎等のペットの潜在する問題の重要な指標であり得る。数人の所有者は、動物のより長い睡眠が、ただ老齢の結果であると仮定することがあるが、実際には、医学的状態の発症の指標であり得る。例えば、動物は、遊んでいる間に興奮したときに跛行せず、またはクンクンと鳴かず、若いイヌのように振る舞うことがあるが、後に悪影響を受けるだろう。これは、より長い休息、起床時の凝り、及びそれらの定期的な散歩へ行くことへの抵抗として現れることがある。より長い睡眠時間の他の理由は、甲状腺、腎臓、または肝臓疾患によって生じ得る。動物は、強迫性行動障害によって生じる不眠を有することもある。いくつかの実施形態では、睡眠パターンは、ＤＭＳ３０１によって導出され、所有者の個人的な観察３１２と協同してもよい。
【０１２５】
本開示の他の態様に従って、長期的な推論は、装着可能装置の提供されるＵＷＢ技術を使用して（例えば、ＵＷＢ装置を使用して）、決定され得る。例えば、一実施形態では、呼吸の監視は、休息中の浅速呼吸、より腹筋を使用する呼吸、努力性呼吸、非対称の呼吸、呼吸速度の増加または減少、喘鳴、咳、及び窒息等の異常な兆候を発見しないことがある。
【０１２６】
ＵＷＢ技術を使用して決定され得る長期的な推論の別の例として、動物の心拍数は、ＵＷＢ装置によって経時的に監視され得る。心拍数の監視は、心拍数の増加もしくは減少、及び／または心臓の加速及び減速または拍数の不足を含み得る異常な律動を発見しないことがある。追加の実施形態では、経時的に測定される一回拍出量を使用して、動物４０１の全身のフィットネスレベルを導出する、及び／またはそれを低下させ得る状態を動物４０１が発達することを示すことができる。
【０１２７】
ＵＷＢ技術を使用して決定され得る長期的な推論の別の例として、動物の血圧変化（血圧の上昇及び低下の両方）が監視され得る。基準線（例えば、動物４０１が眠っている、さもなければ、考察されるような低活動の状態にあるときに測定され得る）からの血圧変化は、他の深刻な医学的状態を引き起こし得る高血圧の発症の指標である場合がある。
【０１２８】
また、一対の温度計を使用して、動物の中核体温の変化（上昇及び低下の両方）が、監視され得る。監視開始時に決定され得る（及び後で考察されるように必要に応じて調整される）基準中核体温からの中核体温の変化は、動物４０１の健康全般の指標であり得る。予期される中核体温範囲からの偏差は、妊娠または過酷な環境下（例えば、高体温もしくは低体温）にある等の動物の全身状態の健康問題または変化の発達の指標であり得る。
【０１２９】
上記実施形態のうちのいずれかでは、収集されたデータは、時間依存性の推論を決定するためにタイムスタンプされてもよい。つまり、種々の感知活動へのタイムスタンプ及び時間を遡って確認する能力は、有害事象を決定するための原因解明を可能にする（例えば、動物が元気に歩いていたが、次いで取って来いをした後、現在は跛行している）。さらに、いくつかの実施形態では、タイムスタンプすることで、変化率の分析も可能になり、次にそれを使用して、起こり得る結果を予測することができる（例えば、動物が、ジオゾーンの外のゾーンに向かって上昇する速度で走っていて、このためそのゾーンを破損する可能性がある）。
【０１３０】
図１３は、装着可能装置１０１上に位置し得るか、または装着可能装置１０１の外部に位置し得る、本開示のいくつかの態様に従って本明細書に記載される健康監視システムと併せて使用され得るいくつかのセンサの例示的特質を要約する表１３０１を表す。具体的には、１３０１は、ある数の各センサを示す（Ｎｍで示される）列１３０３、各センサのタイプを示す列１３０５、装着可能装置に対するセンサの位置を記載する列１３０６、各センサの主要目的を示す列１３０７、センサの一般的な分類を記載する列１３０８、各センサがマスタまたはスレーブセンサとして機能し得るかを示す列１３０９（図１４に関連して本明細書に記載される）、各センサの二次目的（存在する場合）を示す列１３１１を含む。
【０１３１】
例として、この実施形態では、Ｎ１は、装着可能装置１０１上に位置する照度計及び／または分光計を指す。列１３０７に示されるように、照度計の主要目的は、装着可能装置１０１（及びこのため動物４０１）の周囲の光レベルを監視することであり得る。さらに、列１３０９に示されるように、照度計は、スレーブセンサとしてのみ機能することができ、このため、この実施形態では他のセンサを制御することはできない。列１３１１に示されるように、照度計は、二次目的も有することがあり、本明細書では、屋内／屋外指標（例えば、ＵＶレベルを感知することによる）として機能すること、または空気中の近くの化学的特徴を分析することである。
【０１３２】
図１４は、本開示の実施形態に従って、またはそれ以上に、図１３に表される各センサの例示的なマスタ／スレーブ関係を表示する表を表す。具体的には、図１４は、各センサを特定する行ならびに各センサを特定する列を含む。各セルの値は、行のセンサがマスタセンサであり、それに対してスレーブが列のセンサで特定される関係を識別し、交差するセルは「Ｘ」を含む。行及び列名が同じセンサの交差では、セルの値は「Ｉ」によって識別され、同一のセンサであるかを示す。興味深いことに、いくつかの実装では、各センサは、それ自体に対してマスタとして機能し得る（例えば、感知された読取値に応答して、それ自体によるデータのさらなる収集を制御する）。この一例は、図１１のステップ１１２０に示され、センサＮｃからの読取値が予期されるプロファイル外であるかを識別する。
【０１３３】
例として、列記される「Ｎ３」の行の各「Ｘ」または暗いセルで表されるように、いくつかの実施形態では、加速度計（Ｎ３）は、スレーブセンサＮ１（照度計）、Ｎ２（ピーク音）、Ｎ３（それ自体、加速度計）、Ｎ４（ＧＰＳ）、Ｎ５（心肺）、Ｎ６（温度）、Ｎ８（Ｗｉ−Ｆｉ）、Ｎ９（Ｂｌｕｅｔｏｏｔｈ）、Ｎ１０（ＲＦ）、及びＮ１１（ＧＳＭ）に対してマスタとして機能し得る。さらに、「Ｎ３」以下の列の各「Ｘ」または暗いセルで表されるように、いくつかの実施形態では、加速度計（Ｎ３）は、他のマスタセンサ、すなわち、Ｎ３（それ自体、加速度計）、Ｎ５（心肺）、Ｎ１３（電池強度）、及びＮ１４（携帯マイク）に対してスレーブとして機能し得る。
【０１３４】
図１５は、種々の動作モード、及び種々の動作モードで各センサがどのように動作し得るかに関する。列１５０１は、番号でセンサを識別する。列１５０２は、センサタイプを識別する。列１５０３は、各センサがプロファイル動作モードでどのように動作するかを識別する。列１５０４は、各センサが航空機内（ＲＦ無線機が動作していない）動作モードでどのように動作するかを識別する。列１５０５は、各センサが位置警告動作モードでどのように動作するかを識別する。
【０１３５】
例えば、図１５は、ピーク音センサ、加速度計、及び時刻センサ（例えば、内部時計）が、列１５０３で示されるように、プロファイルモード時に特定のプロファイル設定によって影響を受けないことを識別する。残りのセンサは、プロファイルに応じて異なる動作を有し得る。
【０１３６】
航空機動作モード１５０４では、センサのほとんどはオフであるが、ピーク音は待機状態であり、加速度計、周囲温度センサ、及び時刻センサはオンである。換言すると、航空機モードでのセンサの動作は、著しい電磁放射線を生成する全ての無線機、センサ、及び／または部品が無効にされることを識別する。
【０１３７】
位置警告動作モード１５０５では、照度計、加速度計、ＧＰＳ、ＷｉＦｉ信号検出器、Ｂｌｕｅｔｏｏｔｈ信号検出器、ＲＦ信号検出器、及びＧＳＭ信号検出器センサを含む、動物の位置の決定を補助し得る全てのセンサはオンである。残りのセンサは、電力の節約を補助するためにオフにされ得る。電池強度センサも、その電力が低下している首輪を識別するために、位置警告モード１５０５においてオンのままであってもよい。例えば、これらのセンサ／無線機のうちのどれが存在するかに応じて、ＧＰＳセンサ／無線機ｎ４、Ｗｉ−Ｆｉセンサ／無線ｎ８、Ｂｌｕｅｔｏｏｔｈセンサ／無線機ｎ９、ＲＦセンサ／無線機ｎ１０、及びＧＳＭセンサ／無線機ｎ１１の利益となるように、心肺センサｎ５が無効にされる。
【０１３８】
図１６Ａ〜１６Ｇは、装着可能装置１０１によって使用可能な異なるプロファイルに関する。図１６Ａ〜１６Ｇの各々では、列１６０１は、センサ番号を識別し、列１６０２はセンサタイプを識別する。
【０１３９】
図１６Ａは、第１のプロファイルであるプロファイル０を記載し、所有者によって設定される標準監視プロファイルに関する。プロファイルタイプがセル１６０３Ａで特定されており、その表題がセル１６０４Ａで特定されている。本明細書では、低閾値１６０５Ａ〜高閾値１６０６Ａの範囲は比較的大きく設定され、各センサの動作の頻度は比較的頻度が低く、種々のセンサの読取値に対する粒度は低い。このプロファイルは、所有者によって設定される標準プロファイルの一例である。例えば、図１６Ａのプロファイル０の下でのプロセッサの動作は、加速度計センサｎ３に対して低粒度を有する。低粒度は、加速度計センサｎ３からの信号に適用されるローパスフィルタの形態をとってもよい。ローパスフィルタは、任意の瞬時加速度計出力レベルを平滑化することができ、瞬時出力が高閾値を超えるが、同時に平均出力が低い場合に、加速度計高閾値の誘起を排除及び／または低減する。あるいは、ローパスフィルタは、加速度計ｎ３からの信号の任意の誤った急騰を低下させるために、平滑化フィルタ（例えば、より長い時定数の畳み込みフィルタ）で置き換えられてもよい。さらに、上述されるフィルタは、プロセッサが短期間の加速度の急騰を無視するか、またはその感受性が低くなるように、プロセッサの一部であってもよい。
【０１４０】
図１６Ｂは、第２のプロファイルであるプロファイル１を記載し、所有者によって設定される強化された監視プロファイルに関する。プロファイルタイプがセル１６０３Ｂで特定されており、その表題がセル１６０４Ｂで特定されている。本明細書では、低閾値１６０５Ｂ〜高閾値１６０６Ｂの範囲は図１６Ａのプロファイル０のものに比べて狭く、各センサの動作の頻度は比較的より頻度が高く、種々のセンサの読取値に対する粒度は高い。このプロファイルは、所有者がペットの現在の健康を懸念し、首輪によってより多くの情報が得られることを所望する強化されたプロファイルの一例である。図１６Ａのプロファイル０とは対照的に、このプロファイル１は、より高い列１６０５Ｂの低閾値に対するトリガー点及びより低い列１６０６Ｂの高閾値に対するトリガー点のいくつかに示されるように、強化された感度を有する。またいくつかの事例では、列１６０１Ｂの監視頻度は、より頻繁である。同様に、列１６０８Ｂに示される粒度も高い。例えば、加速度計ｎ３に関して、粒度は、列１６０８Ｂに高いと記載される。ローパスフィルタの例に関しては、フィルタは、より高い周波数信号のフィルタレベルを低減するために取り除かれるか、または修正されてもよい。平滑化フィルタの例に関しては、時定数（または平滑化が行われる時間窓）が低減され、より高い周波加速度信号がプロセッサによって分析されることを可能にする。また、図１６Ａに関して記載されるように、フィルタは、プロセッサが、現在のプロファイルに基づいて、それが種々のセンサの出力に対してどの程度感受性があるかを内部で調整するように、プロセッサの一部であってもよい。
【０１４１】
図１６Ｃは、第３のプロファイルであるプロファイル２を記載し、獣医によって設定されるによって設定される標準監視プロファイルに関する。プロファイルタイプがセル１６０３Ｃで特定されており、その表題がセル１６０４Ｃで特定されている。本明細書では、低閾値１６０５Ｃ〜高閾値１６０６Ｃの範囲は、獣医がそのセンサからの読取値を必要としないことがあるため使用されないいくつかのセンサであっても、比較的大きく設定され、各センサの動作の頻度は相対的に頻度が低く、種々のセンサの読取値に対する粒度は低い。獣医が、一般的な監視（例えば、健康診断のための準備における）の基準線を確立するために、またはその関数として、ペットの現在の健康を監視していることがあるプロファイルの一例である。
【０１４２】
図１６Ｄは、第４のプロファイルであるプロファイル３を記載し、獣医によって設定される強化された監視プロファイルに関する。プロファイルタイプがセル１６０３Ｄで特定されており、その表題がセル１６０４Ｄで特定されている。本明細書では、低閾値１６０５Ｄ〜高閾値１６０６Ｄの範囲は比較的狭く設定され、各センサの動作の頻度は比較的頻繁であり、種々のセンサの読取値に対する粒度は低い。ここでも再び、いくつかのセンサは、獣医がそれらのセンサからの読取値を必要としないことがあるため、無効にされる。例えば、このプロファイルは、その手術／手技の前に動物に直近の劇的なイベントが生じないことを確実にするために、手術または手技（例えば、麻酔されている動物の歯垢取り）が動物に実施される前に使用されてもよい。
【０１４３】
例えば、このプロファイルは、手術によって合併症が生じる可能性を監視するために、手術後または手技後に使用されてもよい。動物を監視する必要性のレベルに応じて、情報が獣医に提供される速度は、図２２の例に従ってさらに修正されてもよく、次のような等級に分けられる：
Ａ．装着可能装置によるイベントの識別及びそれらのイベントの獣医へのアップロード、
Ｂ．センサからの生データのロギング及びログされたデータの獣医への一括アップロード、または
Ｃ．生データの獣医への連続的なアップロード。
【０１４４】
上記説明及び図２２の説明に関して、識別されたイベント及び／または生データの獣医へのアップロードは、装着可能装置から遠隔装置への（例えば、装着可能装置と同じローカルＷｉ−Ｆｉネットワーク上のコンピュータへの）直接的な伝達であってもよく、または装着可能装置からＤＭＳへ、次いで、装着可能装置からの識別されたイベント及び／もしくは生データを獣医に転送する（または獣医がアクセスできるようにする）間接的な伝達であってもよい。さらに、ＤＭＳは、生データからイベントを、あるいは装着可能装置から装置導出イベントをさらに導出することができる。これらのＤＭＳ導出イベントは、獣医にさらに提供されてもよく、または所望に応じて獣医が閲覧できるようにされてもよい。
【０１４５】
図１６Ｅは、第５のプロファイルであるプロファイル４を記載し、獣医によって設定される、第１の特定の症状の種類の監視プロファイルに関する。プロファイルタイプがセル１６０３Ｅで特定されており、その表題がセル１６０４Ｅで特定されている。本明細書では、低閾値１６０５Ｅ〜高閾値１６０６Ｅの範囲は比較的狭く設定され、各センサの動作の頻度は比較的頻繁であり、種々のセンサの読取値に対する粒度は、いくつかのセンサに対して高いが、他のセンサに対しては低い。このプロファイルでは、獣医は、他のセンサに対するいくつかのセンサの値に焦点を当てている。例えば、獣医は、頻度のサンプリングが「常にオン」であり、粒度が「高い」に加速度計に基づいて、歩行に関する問題を監視している場合がある。
【０１４６】
図１６Ｆは、第６のプロファイルであるプロファイル５を記載し、獣医によって設定される、第２の特定の症状の種類の監視プロファイルに関する。プロファイルタイプがセル１６０３Ｆで特定されており、その表題がセル１６０４Ｆで特定されている。本明細書では、低閾値１６０５Ｆ〜高閾値１６０６Ｆの範囲は比較的狭く設定され、各センサの動作の頻度は比較的頻繁であり、種々のセンサの読取値に対する粒度は、いくつかのセンサに対して高いが、他のセンサに対しては低い。プロファイル４のものとは対照的なこのプロファイルでは、獣医は、センサの差からの値、その後、図１６Ｅのプロファイル４の重要なセンサの差からの値に焦点を当てている。本明細書では、頻度が毎分読取値を得るように設定され、その粒度が高く設定される心肺センサｎ５によって、獣医は心肺型の症状または同様の一連の症状を監視することができる。
【０１４７】
図１６Ｇは、第７のプロファイルであるプロファイル６を記載し、獣医によって設定される強化された監視プロファイルに関し、それらの標準的な断続的使用法とは対照的に、いくつかのセンサが連続して動作する。プロファイルタイプがセル１６０３Ｇで特定されており、その表題がセル１６０４Ｇで特定されている。本明細書では、低閾値１６０５Ａ〜高閾値１６０６Ａの範囲は比較的狭く設定され、各センサの動作の頻度はその重要性に左右される。重要ではないセンサに関して、それらは動作せず、対照的に、他のセンサは連続して動作する。例えば、このプロファイルは、動物が手術から回復中であり、獣医が、各バイタルサイン／生理的兆候のための個々のセンサが別個に取り付けられることによる動物への負荷を伴わずに、動物のバイタルサイン／生理的兆候の連続的な読取値を所望するときに、使用されてもよい。あるいは、このプロファイルは、動物が危篤状態であり、常時監視状態にあるときに、使用されてもよい。このプロファイルでは、いくつかの項目は、病院にいるときには関係がないため、監視されない。例えば、センサｎ６による周囲温度の監視またはセンサｎ４によるＧＰＳ信号の監視は、必要とされない。図１６Ｇのこのプロファイルは、獣医が、通常、動物に個別に取り付けられ得る別個に取り付けられる個々のセンサの代わりに、装着可能装置１０１を使用することを可能にする。
【０１４８】
図１８は、本開示の１つ以上の態様に従う、監視装置が取り付けられた動物の品種情報に基づいて、種々のセンサプロファイルがどのように修正され得るかの一例を示す。具体的には、列１８０１は、動物の品種の種類に基づく処理のときに、感度を修正または調整され得るセンサを識別する。例えば、心肺センサｎ５の高及び低閾値は、高い平均心拍数を有する品種に対して上方に、及び低い平均心拍数を有する品種に対して下方に、調整され得る。
【０１４９】
図１８は、本開示の１つ以上の態様に従う、装着可能装置の異なる動作モードの実施形態を示す。この実施形態では、装着可能装置は、３つの動作モード、すなわち、プロファイルモード１８０２、航空機モード１８０３、及び位置警告モード１８０４のうちの１つで動作する。動作モードの収集は、グループ１８０１に示され、プロファイルの収集は、グループ１８０２に示される。この実施形態では、２つのプロファイルが、装着可能装置に実装され得る：所有者プロファイル１８０５及び獣医／第三者プロファイル１８０６。動作モードの選択に基づいて、装着可能装置１８０７は、動作モードの明細によって指定されるように動作する。最後に、どの及びいつコンテンツを遠隔データ管理システムにアップロードするかの動作モードの指定に基づいて、装着可能装置１８０７は、動作モードに従ってコンテンツをアップロードする。
【０１５０】
例えば、プロファイル動作モード１８０２では、この動作モード（及び任意に特定のプロファイル）は、装着可能装置１８０７からのコンテンツが、遠隔データ管理システム１８０８に一括でアップロードされるものであることを識別する。次に、航空機動作モード１８０３では、航空機動作モード１８０３の間は全ての無線送信機能が無効にされるため、動作モード１８０３の間に収集されるコンテンツは装着可能装置１８０８に記憶され、その後、航空機モード１８０７のスイッチが切られたときにのみ、遠隔データ管理システム１８０３にアップロードされる。さらに、位置警告動作モード１８０４で動作しているとき、コンテンツ情報は、遠隔データ管理システム１８０８にアップロードされる。例えば、所有者が可能な限り早く動物を見付けることを試みる１つの例では、位置コンテンツは、継続的に遠隔データ管理システム１８０８にアップロードされ得る。装着可能装置からアップロードされたデータは、ＧＰＳ受信機センサからの位置情報ならびに／または受信された携帯電話の中継塔の信号強度及び／もしくはタイムスタンプされたＩＰアドレスの一覧を単に記憶するＷｉ−ＦｉアクセスポイントのＩＰアドレスからの三角測量情報等を含み得る。データのアップロードは、リアルタイムであってもよく、または一括であってもよい。Ｗｉ−Ｆｉアクセスポイントの監視に関して、装着可能装置１０１は、１日（または他の間隔）を通して訪れた位置（または概算位置）の一覧を提供する（それにより、装着可能装置が１日を通して存在した場所のパンくず情報を提供する）ために、経時的に遭遇する種々のアクセスポイントを記録し、それらのアクセスポイントの一覧をアップロードすることができる。
【０１５１】
図１９Ａ〜１９Ｂは、本開示の１つ以上の態様に従う、図１８の実施形態に基づくプロファイルよりも動作モードが優先される順序を示す。図１９Ａ〜１９Ｂで使用されるように、「スイッチ」は、ハードウェアスイッチ、ソフトウェアスイッチ、または両方の組み合わせであってもよい。ハードウェアスイッチは、図１８に記載される動作モードのうちの１つの選択を可能にする、装着可能装置上でローカルに位置するスイッチであり得る。ソフトウェアスイッチは、図１８の動作モード及び／またはプロファイルのうちの１つに移行せよという装着可能装置への遠隔動作コマンドである。ソフトウェアスイッチは、所有者、獣医、及びまたは第三者によって動作され得る。例えば、空港職員は第三者を含むグループに含まれてもよく、空港職員は、航空機動作モード１８０３に設定するために装着可能装置にアクセスすることができる。ハードウェアスイッチとソフトウェアスイッチとの組み合わせは、装置が、ハードウェアスイッチ動作（実際のスイッチもしくは装置のダブルタップ−内部の加速度計により感知される）またはソフトウェアスイッチ動作のいずれかに応答することを可能にする。例えば、外部のハードウェアスイッチは、例えば、図５の装着可能装置１０１位置Ａ〜Ｃに、または首輪／ハーネス４０２の一部として、装着可能装置１０１上の１つ以上の位置に位置付けられ得る。本明細書では、ハードウェアスイッチは、位置Ｈ及びＩの留め金５０５のそれぞれの部品であり、留め金５０５の部品を一緒に固定することによって動作され得る。
【０１５２】
図１９Ａは、航空機モードスイッチ１９０１が最も高い優先レベルを有する非推奨順序を示す。次に、位置警告スイッチ１９０２が、２番目に高い優先レベルを有する。第３に、最も低い優先レベルが、所有者プロファイル１９０４及び獣医／第三者プロファイル１９０５を含むプロファイルグループ１９０３内のプロファイルである。
【０１５３】
図１９Ｂは、図１９Ａのスイッチの動作に基づく異なる動作モードを示す。まず、航空機モードスイッチがオンである場合、装着可能装置は航空機モード１９０７で動作する。航空機モードスイッチがオフである場合１９０６、装着可能装置は位置警告スイッチの状態を確認する。位置警告スイッチがオンである場合、装着可能装置は位置警告動作モード１９０９で動作する。位置警告スイッチがオフである場合１９０８、装着可能装置は、プロファイルモード１９１０のうちの１つで（例えば、所有者プロファイル１９１１または獣医／第三者プロファイル１９１２で）動作する。
【０１５４】
図２０は、本開示の１つ以上の態様に従う、図１８の実施形態の動作モードを置き換えるプロファイルを含む、異なるプロファイルを有する代替の実施形態を示す。プロファイル２００１は、航空機プロファイル２００４、位置警告プロファイル２００５、所有者プロファイル２００２、及び獣医／第三者プロファイル２００３を含む。プロファイル２００１から選択されたプロファイルは、装着可能装置２００６が、どのように動作するか、及びデータを遠隔データ監視システム２００７にアップロードするかを記載する（図１８の動作モード／プロファイルに類似している）。
【０１５５】
図２１Ａ〜２１Ｂは、本開示の１つ以上の態様に従う、１つ以上のスイッチによるプロファイル選択のオプションを有する図２０の実施形態の異なるプロファイルの組み合わせを示す。図２１Ａ〜２１Ｂは、ハードウェア／ソフトウェア／組み合わせスイッチ（図１９Ａ〜１９Ｂに関連して記載されていたスイッチ）によって指定されているプロファイルを記載した。図２１Ａでは、プロファイル２１０１の収集は、所有者プロファイル２１０２、獣医／第三者プロファイル２１０３、航空機モードプロファイル２１０４、及び位置警告プロファイル２１０５を含む。図２１Ｂは、少なくともいくつかのプロファイルを指定する航空機モードスイッチ及び位置モードスイッチを含むプロファイル２１１０の収集を示す。例えば、航空機モードスイッチ２１１２が音である場合、装着可能装置は、航空機モードプロファイル２１１３は動作する。航空機モードスイッチがオフである場合２１１１、位置警告スイッチの状態が確認される。位置警告スイッチがオンである場合２１１５、装着可能装置は位置警告プロファイル２１１８で動作する。位置警告スイッチがオフである場合２１１４、装着可能装置は、所有者プロファイル２１１６または獣医／第三者プロファイル２１１７（所有者及び／または獣医／第三者により別個に指定される）のうちの１つで動作する。
【０１５６】
図２２は、本開示の１つ以上の態様に従う、装着可能装置内ならびにＤＭＳ内でプロファイルがどのように選択され得るかの一例を示す。装着可能装置２２０１は、ＤＭＳ２２１３と相対的に示された。ステップ２２０２で、初期プロファイルが装着可能装置２２０１に対して設定される。ステップ２２０３では、センサまたはセンサの組み合わせが、本明細書に記載される１つ以上の閾値を超えたかが決定される。はいの場合、装着可能装置は、ステップ２２０４に示されるように、異なるプロファイルまたは動作モードに変更するようにその独自のプロファイルを修正する。また、ステップ２２０３から下に延びる、はいの矢で示されるように、導出イベントが、ステップ２２０５でＤＭＳにアップロードされ得るか、生データが、ステップ２２０６に示されるようにＤＭＳに一括でアップロードされ得るか、または生データが、新たなプロファイルもしくは新たな動作モードに応じてステップ２２０７でＤＭＳに連続してアップロードされ得る。ステップ２２０３がいいえの場合、導出イベントが、ステップ２２０５でＤＭＳにアップロードされ得るか、生データが、ステップ２２０６に示されるようにＤＭＳに一括でアップロードされ得るか、または生データが、現在のプロファイルもしくは現在の動作モードに応じてステップ２２０７でＤＭＳに連続してアップロードされ得る。
【０１５７】
次に、装着可能装置２２０１からのコンテンツが、ステップ２２０８で、ＤＭＳ２２１３で受信される。ステップ２２０９では、データは記憶され（例えば、データベース２２１０で示されるようなダイナミックメモリまたはソリッドステートメモリを有する１つ以上のサーバ内のデータベースに）、その後分析される。ステップ２２１１において、警告が分析されたデータから誘起された場合、ＤＭＳ２２１３は、ステップ２２１１で決定される警告レベルに従って、装着可能装置２２０１に、異なるプロファイルまたは動作モードに変更するように命令する。あるいは、ステップ２２１１がいいえの場合、警告は決定されず、ＤＭＳ２２１３は、ステップ２２０８で装着可能装置２２０１からのコンテンツを監視し続ける。
【０１５８】
図２３は、本開示の１つ以上の態様に従う、種々のセンサからの出力がある時間間隔でどのように記憶され、処分され得るかの一例を示す。図２３は、加速度計２３０１、光センサ２３０２、及び音センサ（マイク）２３０３からの信号の過去の履歴を示す。この例では、加速度計２３０１からのより古い読取値２３０９は、加速度計の閾値レベル｛閾値（ａｃｃ）｝を下回った。しかしながら、より直近では、加速度計からの信号は、｛閾値（ａｃｃ）｝を上回るレベル２３０８まで上昇した。
【０１５９】
上述のように、プロセッサ１００は、次いで、他のセンサからの以前の読取値を評価することができる。光センサ２３０２からの前値が評価される。光センサ２３０２からの値の直近の履歴を見直すと、読取値は、当初、光閾値｛閾値（光）｝を下回るレベル２３１１であった。しかしながら、より直近では、光レベルは２３１０のレベルまで上昇した。２３１０のレベルは光閾値｛閾値（光）｝を上回るため、光センサからの値は、加速度計２３０１によって検出され得たイベントを確証する。音レベルに関連して、より古い音レベルの読取値は、音閾値｛閾値（音）｝を下回るレベル２３１５であった。より直近では、音レベルは、音閾値｛閾値（音）｝を上回るレベル２３１４まで上昇した。本明細書では、音センサからの出力は、加速度計２３０１によって検出され得たイベントも確証する。
【０１６０】
光センサ２３０２及び音センサ２３０３に関して、時間間隔の間に達した閾値を上回る最大値と異なる個々の信号値は、時間窓の間に閾値に達した信号よりも関連性が少ない。別の言い方をすると、いったん、光信号がセンサ読取値２３１０の光閾値｛閾値（光）｝を上回ることが決定されると、レベル２３１２と２３１３との間の他の読取値は、この閾値分析には考慮されない。同様に、音レベル２３１６と２３１７との間の異なるものは、その音閾値に既に達しているため、音閾値レベル｛閾値（音）｝を超えた音レベル２３１４よりも関連性が少ない。
【０１６１】
最後に、図２３は、データダンプポイント２３０５、２３０６、及び２３０７を示し、これらの後、重要ではない信号読取値がプロセッサ１００及び／または記憶装置１０５のメモリからダンプされる。興味深いことに、データダンプポイント２３０５、２３０６、及び２３０７は、必ずしも現在から同じ時間窓でなくてもよい。むしろ、各々は、信号レベルが維持されるその独自の別の窓の長さを有してもよい。
【０１６２】
図２４は、本開示の１つ以上の態様に従う、マイクロ波ラジオメトリ及びマイクロ波温度測定を含む、中核体温を監視するための異なる技法の一例を示す。例えば、中核体温２４０１は、他のソースからのエネルギーを使用して中核体温を決定するマイクロ波ラジオメトリを含む受動的技術２４０２によって、決定され得る。また、マイクロ波温度測定を含む能動的技法２４０３を使用して、中核体温を決定することもできる。これらの２つの例に関して、状態２４０４で示されるように、超広帯域装置（ＵＷＢ）及びマイクロ波ラジオメトリ／サーモグラフィ中核体温決定システムに対して別々のアンテナが使用され得る。あるいは、ＵＷＢと中核体温決定装置との間で単一のアンテナが共有されてもよい。例えば、１つ以上のスイッチを使用して、状態２４０５で示されるように、共有されるアンテナをマイクロ波ラジオメトリ／サーモグラフィ中核体温決定システムのＵＷＢに二者択一的に接続することができる。
一対の温度計及び中核体温の推定
【０１６３】
対象上の帯域の存在の決定、対象上の帯域の相対的な位置付け、及び対象の中核体温の推定のために、２つのデジタル温度計を使用してもよい。
【０１６４】
これらの温度計のうちの一方は、ユニットの筺体の前面（外方を向く表面）上に位置し、動物の前面の周囲温度を直接読み取るように設計される。他方の温度計センサは、内側の首輪位置（内方を向く表面）上に位置する。正確な傾向のために中核体温を推定する場合、動物が深い睡眠から目覚める約２時間前の朝が好ましい時間である。これは、最下点として通常説明される期間である。あるいは、有用な期間は、低活動、徐波睡眠相中である。
【０１６５】
動物が正しい時間に測定されることを確実にするために、ユーザ／動物のプロファイルが確認される。例えば、いくつかの動物はそれらの所有者の睡眠習慣に従うため、深夜から午前８時まで働く所有者の動物の体温の読み取りを午前４時に行うことは、所有者が眠っており、同様に動物も眠っているときよりも、有用性が低くなるだろう。
【０１６６】
次に、加速度計を確認して、動物がしばらく動かず、熟睡（例えば、徐波睡眠）の兆候を呈していたことが確認される。これは、加速度計が低活動を示した期間を確認する、ならびに／または一定の律動的呼吸及び／もしくは浅速呼吸を検出する他のセンサ（例えば、マイク）を使用することによって行うことができる。また、動物は、腹臥位（胸骨を地面付けた腹這い）にあるとき、いったん皮膚及び筋肉が弛緩すると首輪の隙間を満たし、またほとんどの場合、首輪は頸部の前面に向かって押し上げられるだろうということも予期される。
【０１６７】
多くのイヌは、うつ伏せ（腹臥、胸骨を地面付けた腹這い）で眠り、体温センサと頸部組織間の接触を最大にする。いったん首輪側の温度センサが平衡に達すると、その読取値は、他の情報（例えば、ローカルエリアの外部のＲＳＳ天気フィード）の中でも特に周囲温度センサの読取値と比較される。
【０１６８】
第１の計算は、周囲温度の範囲に基づく。例えば、華氏６５〜７５度の温度範囲内に収まる場合、周囲温度係数は、概して必要とされない。第２の計算は、イヌの品種に基づく。品種が不明の場合、短毛動物または長毛動物であるかについてプロファイルが閲覧されるだろう。この第２の係数は、首輪内側の温度計からの読取値を動物の推定される中核体温まで上昇させるだろう。
【０１６９】
場合によっては、センサは、繰り返しの較正を必要としないことがある（例えば、Ａｎａｌｏｇ  Ｄｅｖｉｃｅｓ，Ｉｎｃ．のＡＤＴ７４２０を参照されたい）。このデータの収集の目的は、多種多様である。イヌ患者における体温の収集の最も一般的な手法は、直腸温度測定によるものである。家庭環境において直腸温度測定を行わずにイヌ患者の体温を推定し、かつその情報を獣医及びその所有者に中継することができる場合、疾患の症状（または他の低体温症もしくは低体温症を含む病状）を早期に検出することが可能であるだろう。いくつかの患者には、直腸温度測定は適していない（侵襲、直腸疾患等のため）。非侵襲的手法から信頼できる中核体温を得ることにより、この重要なバイタルサインの即時捕捉が可能になる。
【０１７０】
さらに、動物が過酷な環境下にあり、その中核体温が急速に変化している場合（華氏２０度の周囲温度及び華氏８５度の中核体温読取値等）、所有者は、低体温症の危険性への注意を喚起され得る。
【０１７１】
中核体温を監視するための技法は、通常、センサのタイプ及び位置付けの両方、ならびに動物の特定のパラメータに対して調整される必要があるだろうデータをもたらす。センサの位置付けに起因する中核体温の調整は、好ましくは、動物がセンサを収容する装置を装着している初期の時間枠において達成され得る（例えば、最初の１、５、１０、または２４時間等）。
【０１７２】
以下の等式は、中核体温決定のために使用されてもよく、
中核体温＝（（Ａ×Ｔ外部）＋Ｂ）×（（Ｃ×Ｔ内部）＋Ｄ）                            （等式１）
式中、
Ｔ外部は、外方を向く温度計からの温度である。
Ｔ内部は、内方を向く温度計からの温度である。
Ａは、外方を向く温度計に対するスケーリング調整である。
Ｂは、外方を向く温度計に対する補正である。
Ｃは、内方を向く温度計に対するスケーリング調整である。
Ｄは、内方を向く温度計に対する補正である。
【０１７３】
典型的な室温（例えば、６５〜７５°Ｆ）に関して、Ｔ外部成分からの調整は必要とされないことがある（Ａ×Ｔ外部が１であり、Ｂ＝０であるように、ＡがＴ外部の逆数であり得る）。次に、Ｃ調整は、品種、毛の長さ、年齢、動物の医学的状態、及び他の要因における中核体温の変動を計上するように１超及び１未満の小さい値の範囲であり得る（例えば、０．９０〜１．１０）。Ｄ補正は、温度Ｔ内部と実際の中核体温との間の補正を計上するように使用され得る。そのため、例えば、動物の中核体温が１０２．５°Ｆであり、Ｔ内部（または｛Ｃ×Ｔ内部｝）が９５．５°Ｆであった場合、補正Ｄは７．０°Ｆであるだろう。
【０１７４】
６５°Ｆ未満の温度に関して、｛（Ｃ×Ｔ内部）＋Ｄ｝に対する調整は、動物の毛皮を通して放射されるより少ない熱を計上するために必要とされる場合がある。この場合、｛（Ｃ×Ｔ内部）＋Ｄ｝は、Ｔ外部の減少毎に直線的に増加し得る。あるいは、｛（Ｃ×Ｔ内部）＋Ｄ｝の推定は、指数関数的な割合で増加し得る。そのため、例えば６０°Ｆでは、（Ａ×Ｔ外部）成分の増加は、｛（Ｃ×Ｔ内部）＋Ｄ｝の２％の増加をもたらすことがあり、５０°Ｆでは、（Ａ×Ｔ外部）成分の増加は、｛（Ｃ×Ｔ内部）＋Ｄ｝の５％の増加をもたらすことがあり、４０°Ｆでは、（Ａ×Ｔ外部）成分の増加は、１０％の増加であり得る。｛（Ｃ×Ｔ内部）＋Ｄ｝に対する関連減少調整は、７５°Ｆを超えて上昇する周囲温度に基づいて行われ得る。
【０１７５】
内部に向く温度計及び温度調整に関連して、センサの位置付けに対する中核体温の調整は、概して、監視されている動物の品種の平均体温に対して行われ、一部には動作位置及び静止位置の両方における動物からのセンサの物理的配置によるものである。例えば、センサを収容する装置の締付け、ならびに動物の活動的及び落ち着きのない状態の両方における動物上のその物理的位置（例えば、頸部または胴部）は、受信される中核体温データに影響することがある。中核体温を正確に監視するために、センサから受信されるデータの数学的調整は、センサの物理的位置に基づいて必須であり得る。あるいは、中核体温の品種許容可能範囲の数学的調整は、センサから実際に受信されるデータと相関させるために利用され得る。センサデータまたは許容可能な中核体温範囲の他の同等の数学的調整は、本開示の他の態様において同様に利用され得る。
【０１７６】
センサの位置付けに対する調整に加えて、中核体温データも、監視される動物の特定の特徴によって数学的に調整される必要があり得る。例えば、個々の動物の特定の特徴は、センサから受信される中核体温データの追加の調整を必要とすることがある。例えば、これらの数学的調整は、動物の特定の特徴因子の乗算結果を既定の温度補正Ｄまたは調整Ｃの一部に総和することによって達成することができる。特定の動物特徴因子には、特に、品種、毛の太さ、毛の長さ、年齢、性別、妊娠状態、授乳、月経、及び去勢の状態が挙げられる。これらの特定の特徴因子は、概して、同様に利用される特定の程度情報に基づいて−５〜５％の範囲であり得る。例えば、５歳、雌、及び妊娠しているブラックラブラドールは、以下の特定の動物特徴因子調整：（１）ブラックラブラドール＋０．５％（２）妊娠＋０．２％（３）年齢−０．４％を有し得、故に＋０．３％の合計調整を得る。さらに、これらの調整は、調整Ｃの修正と比較した補正Ｄの一部として実際の程度補正として適用されてもよい。
【０１７７】
あるいは、中核体温の品種許容可能範囲の数学的調整は、センサから実際に受信されるデータと相関させるために同様に利用され得る。センサデータまたは許容可能な中核体温範囲の他の同等の数学的調整は、本開示の他の態様において同様に利用され得る。
【０１７８】
例えば、上の等式１は、内部の温度計の読取値が以下のように種々の因子によって調整されるように、以下の等式２として割り当てられてもよく、
中核体温＝Ｔ内部＋Ｘ粗＋Ｙ微                  等式２
式中、
Ｔ内部は、内方を向く温度計からの温度である。
Ｘ粗は、補正（上の補正Ｄに相当する）及び外部に向く温度計からの読取値に基づいて予想される調整を含む粗調整である。
Ｙ微は、例えば、年齢（年齢とともに減少する）、品種（＋もしくは−）、毛の長さ（毛の長さまたは密度とともに上昇する）、性別、去勢状態（去勢された動物は去勢されていない動物よりも温かい）、月経、妊娠、授乳、疾病／病気（通常の温度よりも低くなる重い病気でない限り、一般的により高い）を含む温度調整条件に関する微調整である。
＜所有者のユーザインターフェース＞
【０１７９】
図２５及び２６は、コンピュータまたはスマートフォン上に表示可能な所有者のユーザインターフェースの実例を示す。所有者健康及びウェルネスダッシュボードは、所有者が、センサデータ及びＤＭＳ導出データから動物の全ての傾向情報を一か所で確認することを可能にする。
【０１８０】
図２５は、本開示の態様に従う、監視される動物の種々の情報及び状態のディスプレイ２５０１を示す。このディスプレイは、装着可能装置１０１ならびに獣医からのコンテンツの両方から引き出される情報を含む。例えば、獣医からの情報は、次の予定された予約内容２５０２、ならびにどの薬物治療が次に終了するか、及びその終了日の特定を含む。この情報は、ユーザに獣医の予約を守ることを思い出させる助けとなり得る。
【０１８１】
次に、ディスプレイ２５０１は、動物に関連する全体的な傾向であった瞬時的なバイタルサイン／生理的兆候の形式で装着可能装置及び／またはＤＭＳからのコンテンツを含む。例えば、ディスプレイ２５０１は、活動２５０５、睡眠２５０６、水和２５０７、食生活２５０８、ストレス２５０９、中核体温２５１０、体重２５１１、心拍数２５１２、及び呼吸速度２５１３の図形指標を含む。以下の項目：中核体温２５１０、心拍数２５１２、及び呼吸速度２５１３は、装着可能装置からの瞬時的なバイタルサイン／生理的兆候に関する。
【０１８２】
バイタルサインとは対照的に、以下の項目：活動２５０５、睡眠２５０６、水和２５０７、食生活２５０８、ストレス２５０９、及び体重２５１１は、これらが異なるセンサからのコンテンツを組み込み、かつ健康に関するバイタルサイン／生理的兆候及び／または経時的な活動の記録を含み得るように、装着可能装置導出イベントまたはＤＭＳ導出イベントに関する。
【０１８３】
例示の目的のために、これらの項目の図形ディスプレイの各々は、表示される項目の状態に基づいて（例えば、緑色の領域は懸念がないことを示し、黄色の領域は注意を示し、赤色の領域はその個々の項目に対する懸念を示す）、目盛盤の一方の側から他方の側へ旋回する矢印を有する目盛盤として示される。
【０１８４】
図２６は、本開示の態様に従う、その特定の動物の活動レベルを示す。所有者レベル詳細スクリーンは、所有者がダッシュボードから特定の項目を掘り下げ、目標、警告、勧告、及びより詳細な長期分析情報を再検討することを可能にする。例えば、図２６のディスプレイ２６０１は、動物の特定２６０２、詳細スクリーン（この例では、動物の活動）の現在の指標２６０３、ならびに装着可能装置１０１及びまたはＤＭＳ３０１によって決定された警告（この例では、動物が二日連続して散歩をしなかったこと、及び散歩をしなかったときの日時の特定）を識別する警告メッセージボックス２６０４を含む。次に、ディスプレイ２６０１は、動物の健康を改善する（例えば、日々の散歩を再開する）ための野外勧告２６０５をさらに含み得る。ディスプレイ２６０１は、獣医、所有者、またはＤＭＳ３０１によって設定される１つ以上の目標を含み得る。この例では、目標は、動物の体重を８０ポンド未満に維持するために１日当たり４０分間歩き、１５分間遊ぶことである。ディスプレイ２６０１は、野外警告閾値の特定２６０８をさらに含み得る。この例では、警告閾値は、散歩が２日間ないこと、１５％低下する歩行の変化、及び全体の活動の２５％の低下である。
【０１８５】
最後に、詳細に表示される項目のタイムラインが、コンテンツ２６０７として示され得る。本明細書では、タイムラインは、１２週間にわたって動物の活動レベルがどのように変化したかを示す。
【０１８６】
図２６の詳細なスクリーン２６０１は活動に関するが、同様の詳細スクリーンが、図２５で特定される他の項目に対して、その項目の現在の状態、警告、勧告、目標、警告閾値、及びタイムラインの図形表示を含む同様のコンテンツを用いて提供されてもよいことが理解される。
【０１８７】
例示的実施形態が上述されるが、種々の特徴及びステップは、所望される特定の安全なプロセスに応じて、任意の所望の方法で、組み合わせる、分割される、省略される、及び／または増強されてもよい。本特許は、記載される例示的実施形態に限定されるべきではなく、むしろ続く特許請求の範囲によって決定されるその範囲を有するべきである。
【図１】
2017504323.tif 000007
【図２】
2017504323.tif 000008
【図３】
2017504323.tif 000009
【図４】
2017504323.tif 000010
【図５】
2017504323.tif 000011
【図６Ａ】
2017504323.tif 000012
【図６Ｂ】
2017504323.tif 000013
【図７】
2017504323.tif 000014
【図８】
2017504323.tif 000015
【図９】
2017504323.tif 000016
【図１０】
2017504323.tif 000017
【図１１】
2017504323.tif 000018
【図１２】
2017504323.tif 000019
【図１３】
2017504323.tif 000020
【図１４】
2017504323.tif 000021
【図１５】
2017504323.tif 000022
【図１６Ａ】
2017504323.tif 000023
【図１６Ｂ】
2017504323.tif 000024
【図１６Ｃ】
2017504323.tif 000025
【図１６Ｄ】
2017504323.tif 000026
【図１６Ｅ】
2017504323.tif 000027
【図１６Ｆ】
2017504323.tif 000028
【図１６Ｇ】
2017504323.tif 000029
【図１７】
2017504323.tif 000030
【図１８】
2017504323.tif 000031
【図１９Ａ】
2017504323.tif 000032
【図１９Ｂ】
2017504323.tif 000033
【図２０】
2017504323.tif 000034
【図２１Ａ】
2017504323.tif 000035
【図２１Ｂ】
2017504323.tif 000036
【図２２】
2017504323.tif 000037
【図２３】
2017504323.tif 000038
【図２４】
2017504323.tif 000039
【図２５】
2017504323.tif 000040
【図２６】
2017504323.tif 000041
【国際調査報告】
2017504323.tif 000042
2017504323.tif 000043